(57)【要約】正確でかつ効率の良いタンパク質の同定および定量のための方法およびシステムが提供される。1つの局面において、本明細書において、未知のタンパク質の試料中の候補タンパク質を反復して同定するための方法が開示され、該方法は、未知のタンパク質に対する複数の親和性試薬プローブのそれぞれについての結合測定の情報を、受信する工程であって、親和性試薬プローブそれぞれが、1つまたは複数の候補タンパク質に選択的に結合するように設定されている、工程；結合測定の情報の少なくとも一部分を、複数のタンパク質配列を含むデータベースに対して比較する工程であって、各タンパク質配列が、1つの候補タンパク質に対応する、工程；および1つまたは複数の候補タンパク質のそれぞれが試料中に存在する確率を、候補タンパク質の結合測定の情報の、複数のタンパク質配列を含むデータベースに対する比較に基づいて、反復して生成する工程を含む。2021501332.tif 000070
2021501332.tif 000002
【特許請求の範囲】
【請求項１】
未知のタンパク質の試料中の候補タンパク質を反復して同定するための、コンピューターによって遂行される方法であって、以下の工程を含む、方法：
(a)  前記試料中の前記未知のタンパク質に対する複数の親和性試薬プローブのそれぞれについての結合測定を、前記コンピューターによって受信する工程であって、親和性試薬プローブそれぞれが、複数の候補タンパク質の中の1つまたは複数の候補タンパク質に選択的に結合するように設定されている、工程；
(b)  結合測定を、複数のタンパク質配列を含むデータベースに対して、前記コンピューターによって比較する工程であって、各タンパク質配列が、前記複数の候補タンパク質の中の1つの候補タンパク質に対応する、工程；および
(c)  前記複数の候補タンパク質中の1つまたは複数の候補タンパク質のそれぞれに関して、前記1つまたは複数の候補タンパク質のそれぞれが前記試料中に存在する確率を、前記結合測定の、前記複数の候補タンパク質の中の1つの候補タンパク質にそれぞれ対応する複数のタンパク質配列を含む前記データベースに対する前記比較に基づいて、前記コンピューターによって反復して生成する工程。
【請求項２】
前記複数の確率を生成する工程が、
複数の追加の親和性試薬プローブのそれぞれについての結合測定の追加の情報を、反復して受信すること
をさらに含み、追加の親和性試薬プローブそれぞれが、前記複数の候補タンパク質の中の1つまたは複数の候補タンパク質に選択的に結合するように設定されている、請求項1に記載の方法。
【請求項３】
前記1つまたは複数の候補タンパク質のそれぞれに関して、前記候補タンパク質が前記試料中の前記未知のタンパク質の1つに整合する信頼水準を生成する工程
をさらに含む、請求項1に記載の方法。
【請求項４】
前記確率を生成する工程が、
前記結合測定の情報に関連する、検出器の誤り率を考慮に入れること
を含む、請求項1に記載の方法。
【請求項５】
前記検出器の誤り率が、前記結合測定の情報を入手するために使用される1つまたは複数の検出器の仕様書から得られる、請求項4に記載の方法。
【請求項６】
前記検出器の誤り率が、検出器の推測誤り率にセットされる、請求項4に記載の方法。
【請求項７】
前記検出器の推測誤り率が、前記コンピューターのユーザーによってセットされる、請求項6に記載の方法。
【請求項８】
前記検出器の推測誤り率が、約0.001である、請求項6に記載の方法。
【請求項９】
前記複数の確率を反復して生成する工程が、
続く反復から、前記複数の候補タンパク質からの1つまたは複数の候補タンパク質を除去すること
をさらに含み、それにより、前記確率の前記反復した生成を実施するために必要ないくつかの反復を減少させる、請求項1に記載の方法。
【請求項１０】
前記1つまたは複数の候補タンパク質を除去することが、前記候補タンパク質に関連する前記結合測定の所定の基準に少なくとも基づいている、請求項9に記載の方法。
【請求項１１】
前記所定の基準が、
前記複数の親和性試薬プローブの中の第一の複数に対する所定の閾値を下回る結合測定を有する、前記1つまたは複数の候補タンパク質
を含む、請求項10に記載の方法。
【請求項１２】
前記確率のそれぞれが、前記候補タンパク質の長さに対して正規化される、請求項1に記載の方法。
【請求項１３】
前記確率のそれぞれが、前記複数の候補タンパク質の確率の総和に対して正規化される、請求項1に記載の方法。
【請求項１４】
前記複数の親和性試薬プローブが、50個以下の親和性試薬プローブを含む、請求項1に記載の方法。
【請求項１５】
前記複数の親和性試薬プローブが、100個以下の親和性試薬プローブを含む、請求項1に記載の方法。
【請求項１６】
前記複数の親和性試薬プローブが、500個以下の親和性試薬プローブを含む、請求項1に記載の方法。
【請求項１７】
前記複数の親和性試薬プローブが、500個超の親和性試薬プローブを含む、請求項1に記載の方法。
【請求項１８】
前記確率が、所定の条件が満たされるまで反復して生成される、請求項1に記載の方法。
【請求項１９】
前記所定の条件が、少なくとも90%の信頼度で複数の確率のそれぞれを生成することを含む、請求項18に記載の方法。
【請求項２０】
前記所定の条件が、少なくとも95%の信頼度で前記複数の確率のそれぞれを生成することを含む、請求項19に記載の方法。
【請求項２１】
前記所定の条件が、少なくとも99.999%の信頼度で前記複数の確率のそれぞれを生成することを含む、請求項20に記載の方法。
【請求項２２】
前記試料中の1つまたは複数の未知のタンパク質を同定する紙のまたは電子的なレポートを生成する工程
をさらに含む、請求項1に記載の方法。
【請求項２３】
前記試料が生物学的試料を含む、請求項1に記載の方法。
【請求項２４】
前記生物学的試料が対象から得られる、請求項23に記載の方法。
【請求項２５】
前記複数の確率に少なくとも基づいて、前記対象における疾患の状態を同定する工程
をさらに含む、請求項24に記載の方法。
【請求項２６】
未知のタンパク質の試料中の候補タンパク質を同定するための、コンピューターによって遂行される方法であって、以下の工程を含む、方法：
(a)  前記試料中の前記未知のタンパク質に対する複数の親和性試薬プローブのそれぞれについての結合測定を、前記コンピューターによって受信する工程であって、親和性試薬プローブそれぞれが、複数の候補タンパク質の中の1つまたは複数の候補タンパク質に選択的に結合するように設定されている、工程；
(b)  前記結合測定の少なくとも一部分を、複数のタンパク質配列を含むデータベースに対して前記コンピューターによって比較する工程であって、各タンパク質配列が、前記複数の候補タンパク質の中の1つの候補タンパク質に対応する、工程；および
(c)  前記結合測定の情報の前記少なくとも一部分の、前記複数のタンパク質配列を含む前記データベースに対する前記比較に少なくとも基づいて、前記複数の候補タンパク質から1つまたは複数の候補タンパク質を除去する工程。
【請求項２７】
前記1つまたは複数の候補タンパク質を除去する工程が、前記候補タンパク質に関連する前記結合測定の所定の基準に少なくとも基づいている、請求項26に記載の方法。
【請求項２８】
前記所定の基準が、
前記複数の親和性試薬プローブの中の第一の複数に対する所定の閾値を下回る結合測定を有する、前記1つまたは複数の候補タンパク質
を含む、請求項27に記載の方法。
【請求項２９】
前記複数の親和性試薬プローブが、50個以下の親和性試薬プローブを含む、請求項26に記載の方法。
【請求項３０】
前記複数の親和性試薬プローブが、100個以下の親和性試薬プローブを含む、請求項26に記載の方法。
【請求項３１】
前記複数の親和性試薬プローブが、500個以下の親和性試薬プローブを含む、請求項26に記載の方法。
【請求項３２】
前記複数の親和性試薬プローブが、500個超の親和性試薬プローブを含む、請求項26に記載の方法。
【請求項３３】
前記試料中の1つまたは複数の未知のタンパク質を同定する紙のまたは電子的なレポートを生成する工程
をさらに含む、請求項26に記載の方法。
【請求項３４】
前記試料が生物学的試料を含む、請求項26に記載の方法。
【請求項３５】
前記生物学的試料が対象から得られる、請求項34に記載の方法。
【請求項３６】
前記同定される候補タンパク質に少なくとも基づいて、前記対象における疾患の状態を同定する工程
をさらに含む、請求項35に記載の方法。
【請求項３７】
結合測定が、タンパク質への親和性試薬の結合の測定を含む、前記請求項のいずれか一項に記載の方法。
【請求項３８】
結合測定が、タンパク質への親和性試薬の非結合の測定を含む、前記請求項のいずれか一項に記載の方法。
【請求項３９】
前記所定の条件が、少なくとも99.99999%の信頼度で前記複数の確率のそれぞれを生成することを含む、請求項21に記載の方法。
【請求項４０】
前記所定の条件が、少なくとも99.999999%の信頼度で前記複数の確率のそれぞれを生成することを含む、請求項21に記載の方法。
【請求項４１】
前記所定の条件が、少なくとも99.9999999%の信頼度で前記複数の確率のそれぞれを生成することを含む、請求項21に記載の方法。
【請求項４２】
前記所定の条件が、少なくとも99.99999999%の信頼度で前記複数の確率のそれぞれを生成することを含む、請求項21に記載の方法。
【請求項４３】
前記所定の条件が、少なくとも99.99999999%の信頼度で前記複数の確率のそれぞれを生成することを含む、請求項21に記載の方法。
【請求項４４】
前記所定の条件が、少なくとも99.999999999%の信頼度で前記複数の確率のそれぞれを生成することを含む、請求項21に記載の方法。
【請求項４５】
前記所定の条件が、少なくとも99.9999999999%の信頼度で前記複数の確率のそれぞれを生成することを含む、請求項21に記載の方法。
【請求項４６】
前記所定の条件が、少なくとも99.99999999999%の信頼度で前記複数の確率のそれぞれを生成することを含む、請求項21に記載の方法。
【請求項４７】
前記所定の条件が、少なくとも99.999999999999%の信頼度で前記複数の確率のそれぞれを生成することを含む、請求項21に記載の方法。
【請求項４８】
前記所定の条件が、少なくとも99.9999999999999%の信頼度で前記複数の確率のそれぞれを生成することを含む、請求項21に記載の方法。
【請求項４９】
前記所定の条件が、少なくとも99.99999999999999%の信頼度で前記複数の確率のそれぞれを生成することを含む、請求項21に記載の方法。
【請求項５０】
親和性試薬とタンパク質との間の結合を増強する方法であって、以下の工程を含む、方法：
第一の配列を有する1つまたは複数のDNAタグを、親和性試薬に結合させる工程；
第二の配列を有する1つまたは複数のDNAタグを、タンパク質に結合させる工程；
親和性試薬をタンパク質にハイブリダイズさせる工程；
少なくとも1つのDNAリンカーを、親和性試薬とタンパク質とにハイブリダイズさせる工程であって、DNAリンカーが、第一の配列にハイブリダイズする第一の領域を有し、かつ第二の配列にハイブリダイズする第二の領域を有する、工程。
【請求項５１】
親和性試薬が1個のDNAタグを有する、請求項50に記載の方法。
【請求項５２】
親和性試薬が2個のDNAタグを有する、請求項50に記載の方法。
【請求項５３】
親和性試薬が2個超のDNAタグを有する、請求項50に記載の方法。
【請求項５４】
タンパク質が1個のDNAタグを有する、請求項50に記載の方法。
【請求項５５】
タンパク質が2個のDNAタグを有する、請求項50に記載の方法。
【請求項５６】
タンパク質が2個超のDNAタグを有する、請求項50に記載の方法。
【請求項５７】
タンパク質が10個超のDNAタグを有する、請求項50に記載の方法。
【請求項５８】
親和性試薬およびタンパク質モエティが、5ピコモル濃度〜500ナノモル濃度の濃度のDNAリンカーに曝露される、請求項50に記載の方法。
【発明の詳細な説明】
【技術分野】
【０００１】
相互参照
本出願は2017年10月23日出願の米国特許仮出願62/575,976号の優先権を主張するものであり、該仮出願は、その全体が参照により本明細書に組み入れられる。
【背景技術】
【０００２】
背景
タンパク質同定のための現行の技術は、典型的には、高度に特異的でかつ感度の高い親和性試薬（抗体など）の結合およびそれに続く情報の読み出し、または質量分析計からのペプチド読み取りデータ（典型的には12〜30アミノ酸長ほど）のいずれかに依存する。そのような技術は、高度に特異的でかつ感度の高い親和性試薬の、関心対象のタンパク質に対する結合測定の分析に基づいて、候補タンパク質の存在、非存在、または量を決定するために、試料中の未知のタンパク質に適用され得る。
【発明の概要】
【０００３】
概要
本明細書において、未知のタンパク質の試料中のタンパク質の、改善された同定および定量の必要性が認識される。本明細書において提供される方法およびシステムは、試料中のタンパク質を同定する際の誤りを有意に減少または排除することができ、そしてそれにより、前記タンパク質の定量を改善する。そのような方法およびシステムは、未知のタンパク質の試料中の候補タンパク質の、正確でかつ効率の良い同定を達成し得る。そのような同定は、1つまたは複数の候補タンパク質に選択的に結合するように設定されている親和性試薬プローブの結合測定の情報を用いる反復した算定に、基づき得る。いくつかの態様において、未知のタンパク質の試料は、個々の親和性試薬プローブに、プールされた親和性試薬プローブに、または個々の親和性試薬プローブとプールされた親和性試薬プローブとの組み合わせに、反復して曝露されてよい。同定は、1つまたは複数の候補タンパク質のそれぞれが試料中に存在する信頼水準の推測を含み得る。
【０００４】
1つの局面において、本明細書において、未知のタンパク質の試料中の各候補タンパク質を反復して同定するための、コンピューターによって遂行される方法が開示され、該方法は以下の工程を含む：(a)  前記試料中の前記未知のタンパク質に対する複数の親和性試薬プローブのそれぞれについての結合測定の情報を、前記コンピューターによって受信する工程であって、親和性試薬プローブそれぞれが、複数の候補タンパク質の中の1つまたは複数の候補タンパク質に選択的に結合するように設定されている、工程；(b)  前記結合測定の情報の少なくとも一部分を、複数のタンパク質配列を含むデータベースに対して、前記コンピューターによって比較する工程であって、各タンパク質配列が、前記複数の候補タンパク質の中の1つの候補タンパク質に対応する、工程；および(c)  前記複数の候補タンパク質中の1つまたは複数の候補タンパク質のそれぞれに関して、前記1つまたは複数の候補タンパク質のそれぞれが前記試料中に存在する確率を、前記1つまたは複数の候補タンパク質のそれぞれの前記結合測定の情報の前記少なくとも一部分の、前記複数のタンパク質配列を含む前記データベースに対する前記比較に基づいて、前記コンピューターによって反復して生成する工程。
【０００５】
いくつかの態様において、前記複数の確率を生成する工程は、複数の追加の親和性試薬プローブのそれぞれについての結合測定の追加の情報を、反復して受信することをさらに含み、追加の親和性試薬プローブそれぞれは、前記複数の候補タンパク質の中の1つまたは複数の候補タンパク質に選択的に結合するように設定されている。いくつかの態様において、方法は、前記1つまたは複数の候補タンパク質のそれぞれに関して、前記候補タンパク質が前記試料中の前記未知のタンパク質の1つに整合する信頼水準を生成する工程をさらに含む。
【０００６】
いくつかの態様において、前記確率を生成する工程は、前記結合測定の情報に関連する、検出器の誤り率を考慮に入れることを含む。いくつかの態様において、前記検出器の誤り率は、前記結合測定の情報を入手するために使用される1つまたは複数の検出器の仕様書から得られる。いくつかの態様において、前記検出器の誤り率は、検出器の推測誤り率にセットされる。いくつかの態様において、前記検出器の推測誤り率は、前記コンピューターのユーザーによってセットされる。いくつかの態様において、前記検出器の推測誤り率は、約0.001である。そのような誤り率は、本明細書の他の箇所において記載される、検出器の物理的な誤りを、包含し得る。あるいは、そのような誤り率は、プローブのタンパク質への「着地」の失敗に起因し得、これはたとえば、プローブがシステムにおいてスタックし、そして適切に洗い流されない場合、またはプローブが、プローブの以前の定性および試験に基づいて予想されることのなかったタンパク質に結合する場合である。したがって、検出器の誤り率は、以下のうちの1つまたは複数を含み得る：検出器の物理的な誤り率、オフターゲット結合率、またはスタックしたプローブによる誤り率。
【０００７】
いくつかの態様において、前記複数の確率を反復して生成する工程は、続く反復から、前記複数の候補タンパク質からの1つまたは複数の候補タンパク質を除去することをさらに含み、それにより、前記確率の前記反復した生成を実施するために必要ないくつかの反復を減少させる。いくつかの態様において、前記1つまたは複数の候補タンパク質を除去することは、前記候補タンパク質に関連する前記結合測定の所定の基準に少なくとも基づいている。いくつかの態様において、前記所定の基準は、前記複数の親和性試薬プローブの中の第一の複数に対する所定の閾値を下回る結合測定を有する前記1つまたは複数の候補タンパク質を含む。
【０００８】
いくつかの態様において、前記確率のそれぞれは、前記候補タンパク質の長さに対して正規化される。いくつかの態様において、前記確率のそれぞれは、前記複数の候補タンパク質の確率の総和に対して正規化される。いくつかの態様において、前記複数の親和性試薬プローブは、50個以下の親和性試薬プローブを含む。いくつかの態様において、前記複数の親和性試薬プローブは、100個以下の親和性試薬プローブを含む。いくつかの態様において、前記複数の親和性試薬プローブは、500個以下の親和性試薬プローブを含む。
【０００９】
前記候補タンパク質の長さは、特定の親和性試薬との結合に関して、候補タンパク質における利用可能なエピトープ（「結合部位」）の数に近似する代替値であることを認識した上で、いくつかの態様において、前記確率のそれぞれは、前記候補タンパク質のそれぞれにおいて利用可能な結合部位の総数に対して正規化される。いくつかの態様において、前記候補タンパク質のそれぞれで利用可能な結合部位の数は、定性プロセスを用いて、実験によって決定される。いくつかの態様において、前記定性プロセスは、特定のタンパク質への親和性試薬の結合を、繰り返して測定する。いくつかの態様において、前記定性プロセスは、本明細書において記載されるタンパク質同定の前記方法およびシステムの最中に示される条件と類似のまたは同一の条件下で、実施される。
【００１０】
いくつかの態様において、前記確率は、所定の条件が満たされるまで反復して生成される。いくつかの態様において、前記所定の条件は、少なくとも90%の信頼度で複数の確率のそれぞれを生成することを含む。いくつかの態様において、前記所定の条件は、少なくとも95%の信頼度で前記複数の確率のそれぞれを生成することを含む。いくつかの態様において、前記所定の条件は、少なくとも99%の信頼度で前記複数の確率のそれぞれを生成することを含む。
【００１１】
いくつかの態様において、方法は、前記試料中の1つまたは複数の未知のタンパク質を同定する紙のまたは電子的なレポートを生成する工程をさらに含む。いくつかの態様において、前記試料は、生物学的試料を含む。いくつかの態様において、前記生物学的試料は、対象から得られる。いくつかの態様において、方法は、前記複数の確率に少なくとも基づいて、前記対象における疾患の状態を同定する工程をさらに含む。
【００１２】
いくつかの態様において、方法は、各タンパク質候補についてなされた同定の数を数えることによって、前記生物学的試料中のタンパク質を定量する工程をさらに含む。いくつかの態様において、タンパク質の生の数は、限定するものではないが、検出器の誤り、フルオロフォアの強度、親和性試薬によるオフターゲット結合、およびタンパク質の可検出性を含む、誤りならびに偏りの原因を補正するために、正規化される。
【００１３】
別の局面において、本明細書において、未知のタンパク質の試料中の候補タンパク質を同定するための、コンピューターによって遂行される方法が開示され、該方法は以下の工程を含む：(a)  前記試料中の前記未知のタンパク質に対する複数の親和性試薬プローブのそれぞれについての結合測定の情報を、前記コンピューターによって受信する工程であって、親和性試薬プローブそれぞれが、複数の候補タンパク質の中の1つまたは複数の候補タンパク質に選択的に結合するように設定されている、工程；(b)  前記結合測定の情報の少なくとも一部分を、複数のタンパク質配列を含むデータベースに対して、前記コンピューターによって比較する工程であって、各タンパク質配列が、前記複数の候補タンパク質の中の1つの候補タンパク質に対応する、工程；および(c)  前記結合測定の情報の前記少なくとも一部分の、前記複数のタンパク質配列を含む前記データベースに対する前記比較に少なくとも基づいて、前記複数の候補タンパク質から1つまたは複数の候補タンパク質を除去する工程。
【００１４】
いくつかの態様において、前記1つまたは複数の候補タンパク質を除去する工程は、前記候補タンパク質に関連する前記結合測定の所定の基準に少なくとも基づいている。いくつかの態様において、前記所定の基準は、前記複数の親和性試薬プローブの中の第一の複数に対する所定の閾値を下回る結合測定を有する前記1つまたは複数の候補タンパク質を含む。いくつかの態様において、前記複数の親和性試薬プローブは、50個以下の親和性試薬プローブを含む。いくつかの態様において、前記複数の親和性試薬プローブは、100個以下の親和性試薬プローブを含む。いくつかの態様において、前記複数の親和性試薬プローブは、500個以下の親和性試薬プローブを含む。
【００１５】
いくつかの態様において、方法は、前記試料中の1つまたは複数の未知のタンパク質を同定する紙のまたは電子的なレポートを生成する工程をさらに含む。いくつかの態様において、前記試料は、生物学的試料を含む。いくつかの態様において、前記生物学的試料は、対象から得られる。いくつかの態様において、方法は、前記同定される候補タンパク質に少なくとも基づいて、前記対象における疾患の状態を同定する工程をさらに含む。
【００１６】
本開示の追加の局面および利点は、本開示の例証の態様のみが示されそして記載される以下の詳細な説明から、当業者には容易に明らかになるであろう。理解されるように、本開示は、他のおよび異なる態様が可能であり、かつ、そのいくつかの詳細は、さまざまな明らかな点において、本開示から一切逸脱することなく改変することができる。したがって、図面および説明は、本質的に、例証としてみなされるべきものであり、かつ制限するものとしてみなされるべきではない。
【００１７】
参照による組み入れ
本明細書において言及されるすべての刊行物、特許、および特許出願は、個々の刊行物、特許、または特許出願がそれぞれ、参照により組み入れられるように具体的にかつ個々に示された場合と同程度に、参照により本明細書に組み入れられる。本明細書において含まれる本開示と相反する、参照により組み入れられる刊行物および特許または特許出願の範囲については、本明細書が、そのような相反する事柄のどれよりも優先され、および／または上位に立つことが、意図される。
【図面の簡単な説明】
【００１８】
本発明の新規な特徴は、特に添付の特許請求の範囲において記載される。本発明の特徴および利点のより良い理解は、本発明の原理が利用される例証の態様が記載される以下の詳細な説明、ならびに添付される以下の図面（本明細書においてはまた、「図（Figure）」および「図（FIG.）」とも言う）の参照により、得られるであろう。
【００１９】
【図１】いくつかの態様にしたがった、生物学的試料における未知のタンパク質のタンパク質同定の、例示的フローチャートを示す。
【図２】本明細書において提供される方法を遂行するようにプログラムされた、または別の状況では、そうするように設定された、コンピューター制御システムを示す。
【図３】いくつかの態様にしたがった、打ち切りのタンパク質同定アプローチ  対  非打ち切りのタンパク質同定アプローチの性能を示す。
【図４】いくつかの態様にしたがった、無作為な「偽陰性」結合アウトカムへの、打ち切りのタンパク質同定アプローチおよび非打ち切りのタンパク質同定アプローチの許容性を示す。
【図５】いくつかの態様にしたがった、無作為な「偽陽性」結合アウトカムへの、打ち切りのタンパク質同定アプローチおよび非打ち切りのタンパク質同定アプローチの許容性を示す。
【図６】いくつかの態様にしたがった、過大に推測されたまたは過小に推測された親和性試薬の結合確率を用いる、打ち切りのタンパク質同定アプローチおよび非打ち切りのタンパク質同定アプローチの性能を示す。
【図７】いくつかの態様にしたがった、未知の結合エピトープを有する親和性試薬を用いる、打ち切りのタンパク質同定アプローチおよび非打ち切りのタンパク質同定アプローチの性能を示す。
【図８】いくつかの態様にしたがった、結合エピトープを欠く親和性試薬を用いる、打ち切りのタンパク質同定アプローチおよび非打ち切りのタンパク質同定アプローチの性能を示す。
【図９】いくつかの態様にしたがった、プロテオーム中で最上位の最も豊富な三量体300個、プロテオーム中で無作為に選択された三量体300個、またはプロテオーム中で最も乏しい三量体300個を標的とする親和性試薬を用いる、打ち切りのタンパク質同定アプローチおよび非打ち切りのタンパク質同定アプローチの性能を示す。
【図１０】いくつかの態様にしたがった、無作為なオフターゲット部位またはバイオシミラーオフターゲット部位を有する親和性試薬を用いる、打ち切りのタンパク質同定アプローチおよび非打ち切りのタンパク質同定アプローチの性能を示す。
【図１１】いくつかの態様にしたがった、最適な親和性試薬（プローブ）のセットを用いる、打ち切りのタンパク質同定アプローチおよび非打ち切りのタンパク質同定アプローチの性能を示す。
【図１２】いくつかの態様にしたがった、非混合の候補親和性試薬、および候補親和性試薬の混合物を用いる、打ち切りのタンパク質同定アプローチおよび非打ち切りのタンパク質同定アプローチの性能を示す。
【図１３】いくつかの態様にしたがった、親和性試薬とタンパク質との間の結合を増強する際の、2つのハイブリダイゼーション工程を示す。
【発明を実施するための形態】
【００２０】
詳細な説明
本発明のさまざまな態様が本明細書において示されかつ記載されているが、そのような態様が単なる例として提供されていることは、当業者には明らかである。無数の変更、改変、および置き換えが、本発明から逸脱することなく、当業者に想起され得る。本明細書において記載される本発明の態様のさまざまな代替物が採用され得ることが、理解されるべきである。
【００２１】
「試料」との語は、本明細書において使用されるように、概して、生物学的試料（たとえばタンパク質を含む試料）を指す。試料は、組織もしくは細胞から、または組織もしくは細胞の環境から、採取されてよい。いくつかの例において、試料は、組織生検、血液、血漿、細胞外液、乾燥血液スポット、培養細胞、培養培地、破棄された組織、植物性物質、合成タンパク質、細菌のおよび／もしくはウイルスの試料、菌類の組織、古細菌、もしくは原生動物を含んでよく、またはそれらに由来してよい。試料は、収集の前に、供給源から単離されていてよい。試料は、法医学的な証拠を含んでよい。非限定的な例は、収集の前に一次供給源から単離された、指紋、唾液、尿、血液、大便、精液、または他の体液を含む。いくつかの例において、タンパク質は、試料調製の間に、その一次供給源（細胞、組織、血液などの体液、環境の試料等）から単離される。試料は絶滅種に由来してよく、限定するものではないが、化石に由来する試料を含む。タンパク質は、その一次供給源から精製されてもよく、もしくは精製されなくてもよい、またはそうでなければ、その一次供給源から濃縮されてもよく、もしくは濃縮されなくてもよい。いくつかの場合において、一次供給源は、さらなる処理の前にホモジナイズされる。いくつかの場合において、細胞は、RIPAバッファーなどの緩衝液を用いて溶解される。変性緩衝液もまた、この段階で使用されてよい。試料は、脂質および粒子状物質を除去するために、ろ過または遠心分離されてよい。試料はまた、核酸を除去するために精製されてよく、またはRNアーゼおよびDNアーゼで処理されてもよい。試料は、未処理のタンパク質、変性したタンパク質、タンパク質断片、または部分的に分解したタンパク質を含んでよい。
【００２２】
試料は、疾患または障害を有する対象から採取されてよい。疾患または障害は、感染性疾患、免疫障害もしくは免疫疾患、がん、遺伝性疾患、変性疾患、生活習慣病、創傷、希少疾患、または加齢に関する疾患であり得る。感染性疾患は、細菌、ウイルス、菌類、および／または寄生生物によって引き起こされ得る。がんの非限定的な例は、膀胱がん、肺がん、脳のがん、黒色腫、乳がん、非ホジキンリンパ腫、子宮頸がん、卵巣がん、結腸、直腸のがん、膵臓がん、食道がん、前立腺がん、腎臓がん、皮膚がん、白血病、甲状腺がん、肝臓がん、および子宮がんを含む。遺伝性疾患または遺伝性障害のいくつかの例は、限定されるものではないが、嚢胞性線維症、シャルコー・マリー・トゥース病、ハンチントン病、ポイツ・ジェガース症候群、ダウン症候群、関節リウマチ、およびテイ・サックス病を含む。生活習慣病の非限定的な例は、肥満、糖尿病、動脈硬化症、心臓病、脳卒中、高血圧、肝硬変、腎炎、がん、慢性閉塞性肺疾患（copd）、聴覚の問題、および慢性背痛を含む。創傷のいくつかの例は、限定されるものではないが、擦過傷、脳損傷、挫傷、火傷、震とう症、うっ血性心不全、建築現場での傷害、脱臼、動揺胸、骨折、血胸、椎間板ヘルニア、ヒップポインター、低体温症、裂傷、神経が圧迫された状態（pinched nerve）、気胸、肋骨骨折、坐骨神経痛、脊髄損傷、腱、靭帯、筋膜の損傷、外傷性脳損傷、およびむち打ち症を含む。試料は、疾患もしくは障害を有する対象の処置の前および／または後に採取されてよい。試料は、処置の前および／または後に採取されてよい。試料は、処置のまたは処置計画の間に採取されてよい。複数の試料が、処置の効果を経時的にモニターするために、対象から採取されてよい。試料は、診断用抗体が利用可能ではない感染性疾患を有することが分かっている、またはそれが疑われる対象から、採取されてよい。
【００２３】
試料は、疾患または障害を有することが疑われる対象から採取されてよい。試料は、疲労、悪心、体重減少、痛み（ache）および痛み（pain）、衰弱、または健忘などの、説明のつかない症状（unexplained symptom）を経験中である対象から、採取されてよい。試料は、説明のつく症状（explained symptom）を有する対象から採取されてよい。試料は、家族の病歴、年齢、環境曝露、生活習慣上のリスク因子、もしくは他の公知のリスク因子の存在などの因子に起因する疾患または障害を発症するリスクのある対象から、採取されてよい。
【００２４】
試料は、胚、胎児、または妊婦から採取されてよい。いくつかの例において、試料は、母親の血漿から単離されたタンパク質を含んでよい。いくつかの例においては、母親の血液中の、循環する胎児細胞から単離されたタンパク質。
【００２５】
試料は、健康な個体から採取されてよい。いくつかの場合において、試料は、同じ個体から長期的に採取されてよい。いくつかの場合において、長期的に入手される試料は、個体の健康のモニタリング、および健康問題の早期の検出というゴールをともなって、分析されてよい。いくつかの態様において、試料は、家庭でまたは臨床現場で収集されてよく、そして続いて、分析の前に、郵送、宅配、または他の輸送方法によって輸送されてよい。たとえば、家庭でのユーザーは、フィンガープリックにより血液スポット試料を収集してよく、該血液スポット試料は、乾燥されてよく、そして続いて、分析の前に、郵送によって輸送されてよい。いくつかの場合において、長期的に入手される試料は、健全な運動能力、または認知能力に影響を与えると予想される刺激への応答をモニターするために、使用されてよい。非限定的な例は、医薬への、食事療法への、または運動療法への応答を含む。
【００２６】
試料のタンパク質は、エピトープ結合を妨害し得る修飾を除去するために処理されてよい。たとえばタンパク質は、翻訳後グリコシル化を除去するためにグリコシダーゼ処理されてよい。タンパク質は、タンパク質中のジスルフィド結合を還元するために還元剤で処理されてよい。タンパク質は、リン酸基を除去するためにホスファターゼで処理されてよい。除去され得る翻訳後修飾の、他の非限定的な例は、アセテート、アミド基、メチル基、脂質、ユビキチン、ミリストイル化、パルミトイル化、イソプレニル化またはプレニル化（たとえばファルネソールおよびゲラニルゲラニオール）、ファルネシル化、ゲラニルゲラニル化、グリピエーション（glypiation）、リポイル化、フラビンモエティ付着、ホスホパンテテイニル化、ならびにレチニリデンシッフ塩基形成を含む。試料はまた、翻訳後タンパク質修飾を保つために処理されてよい。いくつかの例において、ホスファターゼ阻害剤が試料に加えられてよい。いくつかの例において、ジスルフィド結合を保護するために酸化剤が加えられてよい。
【００２７】
試料のタンパク質は完全にまたは部分的に変性されてよい。いくつかの態様において、タンパク質は完全に変性され得る。タンパク質は、界面活性剤、強酸もしくは強塩基、濃縮された無機塩、有機溶媒（たとえばアルコールもしくはクロロホルム）、放射線照射、または熱などの外部ストレスの適用によって変性されてよい。タンパク質は、変性緩衝液の添加により変性されてよい。タンパク質はまた、変性緩衝液中で、沈殿、凍結乾燥、および懸濁されてよい。タンパク質は、加熱により変性されてよい。タンパク質に化学的修飾を生じさせる可能性の低い変性方法が、選ばれ得る。
【００２８】
試料のタンパク質は、より短いポリペプチドを産生するために、コンジュゲーションの前または後のいずれかで処理されてよい。残りのタンパク質は、断片を生成するためにプロテイナーゼKなどの酵素で部分的に消化してよく、または無傷のままにしておいてもよい。さらなる例において、タンパク質は、トリプシンなどのプロテアーゼに曝露されてよい。プロテアーゼの追加の例は、セリンプロテアーゼ、システインプロテアーゼ、スレオニンプロテアーゼ、アスパラギン酸プロテアーゼ、グルタミン酸プロテアーゼ、メタロプロテアーゼ、およびアスパラギンペプチドリアーゼを含んでよい。
【００２９】
いくつかの場合において、極度に大きいおよび小さいタンパク質（たとえばタイチン）を除去することは有用となり得、そのようなタンパク質はろ過または他の適切な方法によって除去され得る。いくつかの例において、極度に大きいタンパク質は、400キロダルトン（kD）、450 kD、500 kD、600 kD、650 kD、700 kD、750 kD、800 kD、または850 kDを超えるタンパク質を含んでよい。いくつかの例において、極度に大きいタンパク質は、約8,000アミノ酸、約8,500アミノ酸、約9,000アミノ酸、約9,500アミノ酸、約10,000アミノ酸、約10,500アミノ酸、約11,000アミノ酸、または約15,000アミノ酸を超えるタンパク質を含んでよい。いくつかの例において、小さいタンパク質は、約10 kD未満、9 kD未満、8 kD未満、7 kD未満、6 kD未満、5 kD未満、4 kD未満、3 kD未満、2 kD未満、または1 kD未満のタンパク質を含んでよい。いくつかの例において、小さいタンパク質は、約50アミノ酸未満、45アミノ酸未満、40アミノ酸未満、35アミノ酸未満、または約30アミノ酸未満のタンパク質を含んでよい。極度に大きいまたは小さいタンパク質は、サイズ排除クロマトグラフィーにより除去され得る。極度に大きいタンパク質は、サイズ排除クロマトグラフィーによって単離され、中間サイズのポリペプチドを産生するためにプロテアーゼで処理され、試料の中間サイズのタンパク質と再度組み合わされてよい。
【００３０】
試料のタンパク質は、試料を多重化することを可能にするために、たとえば同定可能なタグで、タグ付けされてよい。同定可能なタグのいくつかの非限定的な例は、以下を含む：フルオロフォア、磁気粒子、またはDNAバーコード化された塩基リンカー。使用されるフルオロフォアは、GFP、YFP、RFP、eGFP、mCherry、tdtomato、FITC、Alexa Fluor 350、Alexa Fluor 405、Alexa Fluor 488、Alexa Fluor 532、Alexa Fluor 546、Alexa Fluor 555、Alexa Fluor 568、Alexa Fluor 594、Alexa Fluor 647、Alexa Fluor 680、Alexa Fluor 750、Pacific Blue、クマリン、BODIPY FL、Pacific Green、Oregon Green、Cy3、Cy5、Pacific Orange、TRITC、Texas Red、フィコエリスリン、アロフィコシアニン（Allophcocyanin）などの蛍光タンパク質、または当技術分野において公知の他のフルオロフォアを含んでよい。
【００３１】
任意の数のタンパク質試料が多重化され得る。たとえば多重化された反応は、2、3、4、5、6、7、8、9、10、11、12、13、14、15、16、17、18、19、約20、約25、約30、約35、約40、約45、約50、約55、約60、約65、約70、約75、約80、約85、約90、約95、約100、または100超の初期試料からのタンパク質を含んでよい。同定可能なタグは、各タンパク質を、その由来の試料に関して調べる手段を提供してよく、または異なる試料からのタンパク質を、異なる区域または固体支持体に隔離するように誘導してもよい。いくつかの態様において、タンパク質はその後、タンパク質を基材に化学的に結合させるために、機能化された基材に適用される。
【００３２】
任意の数のタンパク質試料が、タグ付けされること無しにまたは多重化されること無しに、分析の前に混合されてよい。たとえば、多重化された反応は、2個、3個、4個、5個、6個、7個、8個、9個、10個、11個、12個、13個、14個、15個、16個、17個、18個、19個、約20個、約25個、約30個、約35個、約40個、約45個、約50個、約55個、約60個、約65個、約70個、約75個、約80個、約85個、約90個、約95個、約100個、または100個超の初期試料からの、タンパク質を含んでよい。たとえば、希少な条件に関する診断は、プールされた試料において実施されてよい。個々の試料の分析は、その後、試験された、診断が陽性であったプール中の試料からのみ、実施されてよい。試料は、コンビナトリアルプーリング設計を用いて、タグ付けされること無しに多重化されてよく、該設計においては、個々の試料からのシグナルが、分析されるプールから、コンピューターによる多重分離を用いて区別されることを可能にする様式で、試料がプールへと混合される。
【００３３】
「基材」との語は、本明細書において使用されるように、概して、固体の支持体を形成することができる基材を指す。基材、または固体の基材とは、タンパク質が共有結合もしくは非共有結合できる、任意の固体の表面を指し得る。固体の基材の非限定的な例は、粒子、ビーズ、スライド、装置の構成要素の表面、膜、フローセル、ウェル、チャンバー、マクロ流体チャンバー、ミクロ流体チャンバー、チャンネル、ミクロ流体チャンネル、または任意の他の表面を含む。基材の表面は、平面であり得るかもしくは湾曲され得、または他の形状を有し得、かつ平滑であり得るかもしくは凹凸を有し得る。基材の表面は、マイクロウェルを含んでよい。いくつかの態様において、基材は、ガラス、デキストランなどの炭水化物、ポリスチレンもしくはポリプロピレンなどのプラスチック、ポリアクリルアミド、ラテックス、シリコン、金などの金属、またはセルロースから構成され得、かつタンパク質の共有結合もしくは非共有結合を可能にするまたは強化するために、さらに修飾されてよい。たとえば、基材の表面は、マレイン酸モエティもしくはコハク酸モエティなどの特定の官能基での修飾によって機能化されてよく、またはアミノ基、チオール基、もしくはアクリレート基などの化学的な反応基での修飾によって、シラン化などによって、誘導体化されてもよい。適切なシラン試薬は、アミノプロピルトリメトキシシラン、アミノプロピルトリエトキシシラン、および4-アミノブチルトリエトキシシランを含む。基材は、N-ヒドロキシスクシンイミド（NHS）官能基で機能化されてよい。ガラス表面はまた、たとえばエポキシシラン、アクリレートシラン、またはアクリルアミドシランを用いて、アクリレートまたはエポキシなどの他の反応基で誘導体化され得る。タンパク質結合のための、基材および処理は、好ましくは、繰り返される結合、洗浄、画像化、および溶出の工程に対して安定である。いくつかの例において、基材は、スライド、フローセル、またはマイクロスケールのもしくはナノスケールの構造（たとえばマイクロウェル、マイクロピラー、単一分子アレイ、ナノボール、ナノピラー、もしくはナノワイヤなどの規則正しい構造）であってよい。
【００３４】
基材上の官能基の間隔は、規則正しくてよく、または無作為であってもよい。官能基の規則正しいアレイは、たとえばフォトリソグラフィ、ディップペンナノリソグラフィー、ナノインプリントリソグラフィ、ナノスフェアリソグラフィ、ナノボールリソグラフィ、ナノピラーアレイ、ナノワイヤリソグラフィ、走査型プローブリソグラフィ、熱化学リソグラフィ、熱走査型プローブリソグラフィ、局所酸化ナノリソグラフィ、分子自己集合、ステンシルリソグラフィ、または電子線リソグラフィによって作製されてよい。規則正しいアレイ中の官能基は、官能基がそれぞれ、任意の他の官能基から200ナノメートル（nm）未満であるように、または約200 nm、約225 nm、約250 nm、約275 nm、約300 nm、約325 nm、約350 nm、約375 nm、約400 nm、約425 nm、約450 nm、約475 nm、約500 nm、約525 nm、約550 nm、約575 nm、約600 nm、約625 nm、約650 nm、約675 nm、約700 nm、約725 nm、約750 nm、約775 nm、約800 nm、約825 nm、約850 nm、約875 nm、約900 nm、約925 nm、約950 nm、約975 nm、約1000 nm、約1025 nm、約1050 nm、約1075 nm、約1100 nm、約1125 nm、約1150 nm、約1175 nm、約1200 nm、約1225 nm、約1250 nm、約1275 nm、約1300 nm、約1325 nm、約1350 nm、約1375 nm、約1400 nm、約1425 nm、約1450 nm、約1475 nm、約1500 nm、約1525 nm、約1550 nm、約1575 nm、約1600 nm、約1625 nm、約1650 nm、約1675 nm、約1700 nm、約1725 nm、約1750 nm、約1775 nm、約1800 nm、約1825 nm、約1850 nm、約1875 nm、約1900 nm、約1925 nm、約1950 nm、約1975 nm、約2000 nm、もしくは2000 nm超であるように、配置されてよい。無作為な間隔の官能基は、官能基が、任意の他の官能基から平均して少なくとも約50 nm、約100 nm、約150 nm、約200 nm、約250 nm、約300 nm、約350 nm、約400 nm、約450 nm、約500 nm、約550 nm、約600 nm、約650 nm、約700 nm、約750 nm、約800 nm、約850 nm、約900 nm、約950 nm、約1000 nm、または100 nm超であるような密集状態で、提供されてよい。
【００３５】
基材は、間接的に機能化されてよい。たとえば、基材はPEG化されてよく、かつ官能基がPEG分子のすべて、またはPEG分子のサブセットに適用されてよい。基材は、マイクロスケールのまたはナノスケールの構造（たとえばマイクロウェル、マイクロピラー、単一分子アレイ、ナノボール、ナノピラー、もしくはナノワイヤなどの規則正しい構造）のために適した技術を用いて、機能化されてよい。  
【００３６】
基材は、金属、ガラス、プラスチック、セラミック、またはそれらの組み合わせを含む、任意の素材を含んでよい。いくつかの好ましい態様において、固体基材はフローセルであり得る。フローセルは、単一の層、または複数の層から構成され得る。たとえばフローセルは、基部層（たとえばホウケイ酸ガラス製のもの）、基部層を覆うチャンネル層（たとえばエッチングされたシリコン製のもの）、およびカバー層または最上部層を含み得る。それらの層が共に組み立てられると、囲われたチャンネルが形成され得、該チャネルは、カバーを通って両端に入口／出口を有する。それぞれの層の厚さは可変であるが、好ましくは約1700 μm未満である。層は、限定するものではないが、感光性ガラス、ホウケイ酸ガラス、溶融シリケート（fused silicate）、PDMSまたはシリコンを含む、当技術分野において公知の任意の適した素材から構成され得る。異なる層は、同じ素材から、または異なる素材から、構成され得る。
【００３７】
いくつかの態様において、フローセルは、フローセルの底部にチャンネルのための開口部を含み得る。フローセルは、別々に視覚化され得る位置において、何百万もの付着された標的コンジュゲーション部位を含み得る。いくつかの態様において、本発明の態様で使用されるさまざまなフローセルは、異なる数のチャンネル（たとえば1チャンネル、2以上のチャンネル、3以上のチャンネル、4以上のチャンネル、6以上のチャンネル、8以上のチャンネル、10以上のチャンネル、12以上のチャンネル、16以上のチャンネル、または16超のチャンネル）を含み得る。さまざまなフローセルは、異なる深さまたは幅のチャンネルを含み得、これらは1つのフローセル中のチャンネルの間で異なっていてよく、または異なるフローセルのチャンネルの間で異なっていてもよい。1つのチャンネルはまた、深さおよび／または幅が変化し得る。たとえば1つのチャンネルは、チャンネル中の1つまたは複数の場所で、約50 μm未満の深さ、約50 μmの深さ、約100 μm未満の深さ、約100 μmの深さ、約100 μmから約 500 μmの深さ、約500 μmの深さ、または約500 μm超の深さであり得る。チャンネルは、限定するものではないが、円形の、半円形の、長方形の、台形の、三角形の、または卵形の断面を含む、任意の断面形状を有し得る。
【００３８】
タンパク質は、基材に、スポットされてよく、滴下されてよく、ピペットされてよく、注がれてよく、洗浄されてよく、または他の方法で適用されてよい。NHSエステルなどのモエティで機能化された基材の場合には、タンパク質の修飾は必要とされない。代わりのモエティ（たとえばスルフヒドリル、アミン、またはリンカーDNA）で機能化された基材の場合には、架橋試薬（たとえばスベリン酸ジスクシンイミジル、NHS、スルホンアミド）が使用されてよい。リンカーDNAで機能化された基材の場合には、試料のタンパク質は、相補的なDNAタグで修飾されてよい。いくつかの場合において、タンパク質は、静電相互作用によって基材に結合できるように機能化されてよい。
【００３９】
光活性化架橋剤は、試料の架橋を基材上の特定の区域に指向させるために使用されてよい。光活性化架橋剤は、各試料を基材の既知の領域に付着させることによってタンパク質試料の多重化を可能にするために、使用されてよい。光活性化架橋剤は、たとえばタンパク質を架橋する前に蛍光タグを検出することによって、成功裏にタグ付けされたタンパク質の特異的な付着を可能にし得る。光活性化架橋剤の例は、限定するものではないが、N-5-アジド-2-ニトロベンゾイルオキシスクシンイミド、スルホスクシンイミジル6-(4'-アジド-2'-ニトロフェニルアミノ)ヘキサノアート、スクシンイミジル4,4'-アジペンタノアート、スルホスクシンイミジル4,4'-アジペンタノアート、スクシンイミジル6-(4,4'-アジペンタンアミド)ヘキサノアート、スルホスクシンイミジル6-(4,4'-アジペンタンアミド)ヘキサノアート、スクシンイミジル2-((4,4'-アジペンタンアミド)エチル)-1,3'-ジチオプロピオナート、およびスルホスクシンイミジル2-((4,4'-アジペンタンアミド)エチル)-1,3'-ジチオプロピオナートを含む。
【００４０】
ポリペプチドは、1つまたは複数の残基によって基材に付着されてよい。いくつかの例において、ポリペプチドは、N末端、C末端、両方の末端を介して、または内部の残基を介して、付着されてよい。
【００４１】
永続的な架橋剤に加えて、いくつかの適用に関して光切断性リンカーを使用すること、およびそうすることによって分析後に基材からタンパク質を選択的に抽出することを可能にすることは、適切であり得る。いくつかの場合において、光切断性架橋剤は、いくつかの異なる多重化試料に使用されてよい。いくつかの場合において、光切断性架橋剤は、多重化された反応中の1つまたは複数の試料から使用されてよい。いくつかの場合において、多重化された反応は、永続的な架橋剤を介して基材に架橋された対照試料、および光切断性架橋剤を介して基材に架橋された実験試料を含んでよい。
【００４２】
コンジュゲートされた各タンパク質は、コンジュゲートされた各タンパク質が光学的に解像可能であるように、コンジュゲートされた他のタンパク質それぞれから空間的に分離されてよい。タンパク質はしたがって、固有の空間的アドレスを用いて、個々にラベルされてよい。いくつかの態様において、これは、各タンパク質分子が他のタンパク質分子それぞれから空間的に分離されるように低い濃度のタンパク質および基材上の低い密度の付着部位を用いるコンジュゲーションによって、達成され得る。例として、光活性化架橋剤が使用される場合、タンパク質があらかじめ決定されている位置に付加されるように、光パターンが使用されてよい。
【００４３】
いくつかの態様において、各タンパク質は、固有の空間的アドレスに関連付けられてよい。たとえば、タンパク質が空間的に分離される位置において基材に付着すると、各タンパク質には、座標などによる、インデックス付きアドレスが割り当てられ得る。いくつかの例において、あらかじめ割り当てられる固有の空間的アドレスの格子が、あらかじめ決定されていてよい。いくつかの態様において、各タンパク質の配置が基材上の固定マークに対して決定され得るように、基材は、容易に同定可能な固定マークを含んでよい。いくつかの例において、基材は、表面上に永続的に記された、格子線および／もしくはおよび「起点」または他の基準を有してよい。いくつかの例において、基材の表面は、架橋されたタンパク質の位置を特定するための基準を提供するために、永続的にまたは半永続的にマークが付けられていてよい。コンジュゲートされたポリペプチドの外縁などのパターンそれ自体の形状もまた、各スポットの固有の位置を決定するための基準として使用されてよい。
【００４４】
基材はまた、コンジュゲートされたタンパク質標準物および対照を含んでよい。コンジュゲートされたタンパク質標準物および対照は、既知の位置にコンジュゲートされた、既知の配列のペプチドまたはタンパク質であってよい。いくつかの例において、コンジュゲートされたタンパク質標準物および対照は、アッセイにおける内部対照として役立ち得る。該タンパク質は、精製されたタンパク質ストックから基材へと適用されてよく、または核酸プログラマブルタンパク質アレイ（Nucleic Acid-Programmable Protein Array）（NAPPA）などの処理によって基材上で合成されてよい。
【００４５】
いくつかの例において、基材は蛍光標準物を含んでよい。これらの蛍光標準物は、アッセイ間の蛍光シグナルの強度を較正するために使用されてよい。これらの蛍光標準物はまた、蛍光シグナルの強度を、ある区域に存在するフルオロフォアの数と相関させるために、使用されてもよい。蛍光標準物は、アッセイにおいて使用される異なる種類のフルオロフォアのいくつかまたはすべてを含んでよい。
【００４６】
基材が、試料からのタンパク質とコンジュゲートされたら、複数の親和性試薬測定を実施することができる。本明細書において記載される測定プロセスは、さまざまな親和性試薬を利用してよい。いくつかの態様において、複数の親和性試薬は、ともに混合されてよく、かつ測定は、タンパク質−基材コンジュゲートへの、親和性試薬混合物の結合において、実施されてよい。
【００４７】
「親和性試薬」との語は、本明細書において使用されるように、概して、タンパク質またはペプチドに、再現性のある特異性を有して結合する、試薬を指す。たとえば親和性試薬は、抗体、抗体断片、アプタマー、ミニタンパク質バインダー、またはペプチドであってよい。いくつかの態様において、ミニタンパク質バインダーは、長さが30〜210アミノ酸の間であり得るタンパク質バインダーを含んでよい。いくつかの態様において、ミニタンパク質バインダーが設計されてよい。いくつかの態様において、モノクローナル抗体が選ばれ得る。いくつかの例において、Fab断片などの抗体断片が選ばれ得る。いくつかの場合において、親和性試薬は、市販の抗体などの市販の親和性試薬であってよい。いくつかの場合において、望ましい親和性試薬は、有用な特徴を有するものを同定するために市販の親和性試薬をスクリーニングすることによって、選択されてよい。
【００４８】
親和性試薬は、高い、中間の、または低い特異性を有してよい。いくつかの例において、親和性試薬は、いくつかの異なるエピトープを認識してよい。いくつかの例において、親和性試薬は、2以上の異なるタンパク質に存在するエピトープを認識してよい。いくつかの例において、親和性試薬は、多くの異なるタンパク質に存在するエピトープを認識してよい。いくつかの場合において、本開示の方法において使用される親和性試薬は、エピトープ1つだけに対して、高度に特異的であってよい。いくつかの場合において、本開示の方法において使用される親和性試薬は、翻訳後修飾を含むエピトープ1つだけに対して、高度に特異的であってよい。いくつかの場合において、親和性試薬は、高度に類似したエピトープへの特異性を有し得る。いくつかの場合において、高度に類似したエピトープへの特異性を有する親和性試薬は、高度に類似するタンパク質候補配列（たとえば、1アミノ酸変異を有する候補、またはアイソフォーム）を区別するために、特異的に設計され得る。いくつかの場合において、親和性試薬は、タンパク質配列のカバレッジを最大にするために、高度に多様性のあるエピトープへの特異性を有してよい。いくつかの態様において、タンパク質−基材へのプローブ結合の確率論的な性質のために、結果は異なる可能性があり、かつしたがって、タンパク質同定に関して追加の情報を提供し得る、と予想して、実験が、同じ親和性プローブを用いて繰り返して実施されてよい。
【００４９】
いくつかの場合において、親和性試薬によって認識される、特異的な単数のエピトープまたは複数のエピトープは、完全には既知でなくてよい。たとえば、親和性試薬は、1つまたは複数の、全長タンパク質、タンパク質複合体、もしくはタンパク質断片への特異的な結合に関して、特異的な結合エピトープの知見無しに、設計または選択され得る。定性プロセスによって、この試薬の結合プロファイルは精巧なものになっている可能性がある。特異的な結合エピトープが未知であるとしても、前記親和性試薬を用いる結合測定は、タンパク質のアイデンティティを決定するために使用され得る。たとえば、タンパク質標的に結合するように設計された市販の抗体またはアプタマーが、親和性試薬として使用され得る。アッセイ条件（たとえば完全に折りたたまれている、部分的に変性している、または完全に変性している）のもとでの定性の後で、未知のタンパク質へのこの親和性試薬の結合は、未知のタンパク質のアイデンティティについての情報を提供し得る。いくつかの場合において、タンパク質特異的親和性試薬の集団（たとえば市販の抗体またはアプタマー）が、それらが標的とする特異的なエピトープについての知見とともに、または該知見無しのいずれかで、タンパク質同定を生成するために、使用され得る。いくつかの場合において、タンパク質特異的親和性試薬の集団は、50個、100個、200個、300個、400個、500個、600個、700個、800個、900個、1000個、2000個、3000個、4000個、5000個、10000個、20000個、または20000個超の、親和性試薬を含んでよい。いくつかの場合において、親和性試薬の集団は、特定の生物において標的への反応性が証明されている、すべての市販の親和性試薬を含んでよい。たとえば、タンパク質特異的親和性試薬の集団は、各親和性試薬に関して個々になされる結合測定を用いて、連続してアッセイされてよい。いくつかの場合において、タンパク質特異的親和性試薬のサブセットは、結合測定の前に混合されてよい。たとえば、結合測定パスそれぞれに関して、親和性試薬の新規な混合物は、完全なセットから無作為に選択された親和性試薬のサブセットを含むように、選択されてよい。たとえば、続く混合物それぞれは、親和性試薬の多くが複数の混合物の中に存在するであろうと予想して、同じ無作為な様式で生成されてよい。いくつかの場合において、タンパク質同定は、タンパク質特異的親和性試薬の混合物を用いて、より速やかに生成され得る。いくつかの場合において、タンパク質特異的親和性試薬のそのような混合物は、任意の個々のパスにおいて親和性試薬が結合する、未知のタンパク質のパーセンテージを、増加させ得る。親和性試薬の混合物は、すべての利用可能な親和性試薬の、1%、5%、10%、20%、30%、40%、50%、60%、70%、80%、90%、または90%超を含んでよい。1回の実験において評価される親和性試薬の混合物は、個々の親和性試薬が共通であってもよく、または共通でなくてもよい。いくつかの場合において、同じタンパク質に結合する集団中に、複数の異なる親和性試薬が存在してよい。いくつかの場合において、集団中の各親和性試薬は、異なるタンパク質に結合してよい。同じタンパク質への親和性を有する複数の親和性試薬が、単一の未知のタンパク質に結合する場合、��記親和性試薬の共通の標的である未知のタンパク質のアイデンティティにおける信頼度は、増加し得る。いくつかの場合において、同じタンパク質を標的とする複数のタンパク質親和性試薬の使用は、複数の親和性試薬が同じタンパク質上の異なるエピトープに結合し、かつ、該タンパク質を標的とする親和性試薬のあるサブセットの結合のみが、結合エピトープの翻訳後修飾または他の立体障害（steric hinderance）によって妨害され得る場合に、冗長性を提供し得る。いくつかの場合において、その結合エピトープが未知である親和性試薬の結合は、その結合エピトープが既知である親和性試薬の結合測定と組み合わせて、タンパク質同定を生成するために使用され得る。
【００５０】
いくつかの例において、1つまたは複数の親和性試薬は、2個、3個、4個、5個、6個、7個、8個、9個、10個、または10個超のアミノ酸などの所定の長さのアミノ酸モチーフに結合するように、選ばれてよい。いくつかの例において、1つまたは複数の親和性試薬は、2アミノ酸から40アミノ酸までの異なる長さのある範囲のアミノ酸モチーフに結合するように、選ばれてよい。
【００５１】
いくつかの場合において、親和性試薬は、DNAバーコードで標識されてよい。いくつかの例において、DNAバーコードは、使用後に親和性試薬を精製するために使用されてよい。いくつかの例において、DNAバーコードは、繰り返しの使用のため親和性試薬を仕分けするために、使用されてよい。いくつかの場合において、親和性試薬は、使用後に親和性試薬を仕分けするために使用され得るフルオロフォアで、標識されてよい。
【００５２】
親和性試薬のファミリーは、親和性試薬の1つまたは複数の種類を含んでよい。たとえば、本開示の方法は、抗体、抗体断片、Fab断片、アプタマー、ペプチド、およびタンパク質の1つまたは複数を含む親和性試薬のファミリーを使用してよい。
【００５３】
親和性試薬は修飾されてよい。修飾は、限定されるものではないが、検出モエティの結合を含む。検出モエティは、直接的にまたは間接的に結合されてよい。たとえば検出モエティは、親和性試薬に直接的に共有結合されてよく、またはリンカーを介して結合されてよく、または相補的なDNAタグもしくはビオチン・ストレプトアビジンの対などの親和性反応を介して結合されてよい。軽い洗浄および親和性試薬の溶出に耐えることのできる結合方法が、選ばれ得る。
【００５４】
親和性試薬は、たとえば、結合イベントの同定または定量（たとえば結合イベントの蛍光検出で）を可能にする、同定可能なタグで、タグ付けされてよい。同定可能なタグの、いくつかの非限定的な例は、以下を含む：フルオロフォア、蛍光ナノ粒子、量子ドット、磁気ナノ粒子、またはDNAバーコードに基づくリンカー。使用されるフルオロフォアは、GFP、YFP、RFP、eGFP、mCherry、tdtomato、FITC、Alexa Fluor 350、Alexa Fluor 405、Alexa Fluor 488、Alexa Fluor 532、Alexa Fluor 546、Alexa Fluor 555、Alexa Fluor 568、Alexa Fluor 594、Alexa Fluor 647、Alexa Fluor 680、Alexa Fluor 750、Pacific Blue、クマリン、BODIPY FL、Pacific Green、Oregon Green、Cy3、Cy5、Pacific Orange、TRITC、Texas Red、フィコエリスリン、アロフィコシアニン、または当技術分野において公知の他のフルオロフォアなどの、蛍光タンパク質を含んでよい。あるいは、親和性試薬は、結合イベントが、たとえば結合イベントのSPR検出で、直接的に検出される際などに、タグが除去されてよい。
【００５５】
検出モエティは、限定するものではないが、フルオロフォア、生物発光タンパク質、不変の領域およびバーコード領域を含むDNAセグメント、または磁気粒子などのナノ粒子を連結するための化学的テザーを含んでよい。検出モエティは、励起または発光の異なるパターンを有する、いくつかの異なるフルオロフォアを含んでよい。
【００５６】
検出モエティは、親和性試薬から切断可能であってよい。これは、もはや関心対象ではない親和性試薬から検出モエティが除去される工程によってシグナル混入を減少させることを可能にし得る。
【００５７】
いくつかの場合において、親和性試薬は未修飾である。たとえば、もし親和性試薬が抗体であるならば、抗体の存在は原子間力顕微鏡によって検出されてよい。親和性試薬は未修飾であってよく、かつ、たとえば親和性試薬の1種または複数種に対して特異的な抗体を手に入れることによって、検出されてよい。たとえば、もし親和性試薬がマウス抗体であるならば、マウス抗体は、抗マウス二次抗体を用いて検出されてよい。交代で、親和性試薬は、アプタマーに特異的な抗体によって検出されるアプタマーであってよい。二次抗体は、上述のように検出モエティで修飾されてよい。いくつかの場合において、二次抗体の存在は、原子間力顕微鏡によって検出されてよい。
【００５８】
いくつかの例において、親和性試薬は、同じ修飾、たとえばコンジュゲートされた緑色蛍光タンパク質を含んでよく、または異なる2種類以上の修飾を含んでよい。たとえば、各親和性試薬は、異なる励起波長または発光波長をそれぞれ有する、いくつかの異なる蛍光モエティの1つにコンジュゲートされてよい。いくつかの異なる親和性試薬は組み合わされ得、かつ／または識別され得るので、これは、親和性試薬の多重化を可能にし得る。1つの例において、第1の親和性試薬は緑色蛍光タンパク質にコンジュゲートされてよく、第2の親和性試薬は黄色蛍光タンパク質にコンジュゲートされてよく、かつ第3の親和性試薬は赤色蛍光タンパク質にコンジュゲートされてよく、したがってこれら3つの親和性試薬は多重化され得、かつそれらの蛍光によって同定され得る。さらなる例において、第1、第4、および第7の親和性試薬は緑色蛍光タンパク質にコンジュゲートされてよく、第2、第5、および第8の親和性試薬は黄色蛍光タンパク質にコンジュゲートされてよく、かつ第3、第6、および第9の親和性試薬は赤色蛍光タンパク質にコンジュゲートされてよい；この場合、第1、第2、および第3の親和性試薬はともに多重化され得、一方で第2、第4、および第7の、ならびに第3、第6、および第9の親和性試薬は、2つのさらなる多重化反応を形成する。ともに多重化され得る親和性試薬の数は、それらを区別するために使用される検出モエティ次第で変わり得る。たとえば、フルオロフォアで標識された親和性試薬の多重化は、利用可能な独特のフルオロフォアの数によって制限され得る。さらなる例としては、DNAタグで標識された親和性試薬の多重化は、DNAバーコードの長さによって決定されてよい。
【００５９】
各親和性試薬の特異性は、アッセイにおける使用の前に決定され得る。親和性試薬の結合特異性は、既知のタンパク質を用いる対照実験において決定され得る。任意の適切な実験方法が、親和性試薬の特異性を決定するために使用されてよい。一例では、基材に、既知のタンパク質標準物を既知の位置に載せて、複数の親和性試薬の特異性を評価するために使用してよい。別の例においては、各親和性試薬の特異性が対照および標準物への結合から算出され得、その後実験試料を同定するために使用され得るように、基材は、実験試料ならびに対照および標準物のパネルの両方を含んでよい。いくつかの場合において、未知の特異性を有する親和性試薬が、既知の特異性の親和性試薬とともに含まれてよく、既知の特異性の親和性試薬からのデータが、タンパク質を同定するために使用されてよく、かつ未知の特異性の親和性試薬の、同定されるタンパク質への結合のパターンが、それらの結合特異性を決定するために使用されてよい。どのタンパク質が個々の親和性試薬と結合したのかを評価するために、他の親和性試薬の既知の結合データを用いて、任意の個々の親和性試薬の特異性を再確認することもまた、可能である。いくつかの場合において、基材にコンジュゲートされた既知の各タンパク質への、親和性試薬の結合の頻度は、基材上のタンパク質のいずれかに結合する確率を導き出すために、使用され得る。いくつかの場合において、エピトープ（たとえばアミノ酸配列または翻訳後修飾）を含む既知のタンパク質への結合の頻度は、特定のエピトープへの親和性試薬の結合の確率を決定するために、使用され得る。したがって、親和性試薬パネルの複数の使用により、親和性試薬の特異性は各反復のたびにますます洗練され得る。特定のタンパク質に対して一意的に特異的な親和性試薬が使用され得るが、本明細書において記載される方法は、それらを必要としなくてもよい。加えて方法は、ある範囲の特異性において効果的であり得る。いくつかの例において、本明細書において記載される方法は、親和性試薬が、いかなる特定のタンパク質に対しても特異的ではないが、代わりに、アミノ酸モチーフ（たとえばトリペプチドAAA）に対して特異的である場合に、特に有効であり得る。
【００６０】
いくつかの例において、親和性試薬は、高い、中間の、または低い結合親和性を有するように選ばれてよい。いくつかの場合において、低いまたは中間の結合親和性を有する親和性試薬が選ばれ得る。いくつかの場合において、親和性試薬は、約10-3 M、10-4 M、10-5 M、10-6 M、10-7 M、10-8 M、10-9 M、10-10 Mの、または10-10 Mより小さい解離定数を有してよい。いくつかの場合において、親和性試薬は、約10-10 M、10-9 M、10-8 M、10-7 M、10-6 M、10-5 M、10-4 M、10-3 M、10-2 Mを超える、または10-2 Mより大きい解離定数を有してよい。いくつかの場合において、低いもしくは中間のkoff速度または中間のもしくは高いkon速度の親和性試薬が好ましいことがある。
【００６１】
親和性試薬のいくつかは、リン酸化されたまたはユビキチン化されたアミノ酸配列などの修飾されたアミノ酸配列に結合するために、選ばれてよい。いくつかの例において、1種または複数種の親和性試薬は、1種または複数種のタンパク質によって含まれ得るエピトープのファミリーに対し広く特異的であるように、選ばれてよい。いくつかの例において、1種または複数種の親和性試薬は、2つ以上の異なるタンパク質に結合してよい。いくつかの例において、1種または複数種の親和性試薬は、それらの1つまたは複数の標的に弱く結合してよい。たとえば親和性試薬は、10%未満、10%未満、15%未満、20%未満、25%未満、30%未満、または35%未満が、それらの1つまたは複数の標的に結合し得る。いくつかの例において、1種または複数種の親和性試薬は、それらの1つまたは複数の標的に中程度にまたは強固に結合してよい。たとえば親和性試薬は、35%超、40%超、45%超、60%超、65%超、70%超、75%超、80%超、85%超、90%超、91%超、92%超、93%超、94%超、95%超、96%超、97%超、98%超、または99%超が、それらの1つまたは複数の標的に結合し得る。
【００６２】
弱い結合を補うために、過剰な親和性試薬が、基材に適用されてよい。親和性試薬は、約1:1、2:1、3:1、4:1、5:1、6:1、7:1、8:1、9:1または10:1で、試料タンパク質に対して過剰に適用されてよい。親和性試薬は、約1:1、2:1、3:1、4:1、5:1、6:1、7:1、8:1、9:1、または10:1で、試料タンパク質におけるエピトープの予想される出現率に対して過剰に適用されてよい。
【００６３】
親和性試薬の速い解離速度を補うために、リンカーモエティが、各親和性試薬に結合されてよく、そしてリンカーモエティは、結合された親和性試薬を、それが結合する基材または未知のタンパク質に可逆的に連結するために、使用されてよい。たとえば、DNAタグが、各親和性試薬の末端に結合され得、そして異なるDNAタグが、基材または各未知のタンパク質に結合され得る。親和性試薬が未知のタンパク質にハイブリダイズした後で、リンカーDNA、これは親和性試薬と結合しているDNAタグに対して一方の末端において相補的であり、かつ基材と結合しているタグに対して他方の末端において相補的であるが、これは、基材に親和性試薬を結合させるために、チップに添加され得、そしてこれは、親和性試薬が測定の前に解離することを防ぐ。結合後、連結された親和性試薬は、DNAリンカーの結合を分断するために熱または高塩濃度の存在下で洗浄することにより、離れ得る。
【００６４】
図13は、いくつかの態様にしたがった、親和性試薬とタンパク質との間の結合を増強する際の、2つのハイブリダイゼーション工程を示す。特に、図13の工程1は、親和性試薬のハイブリダイゼーションを示す。工程1に示されるように、親和性試薬1310は、タンパク質1330にハイブリダイズする。タンパク質1330は、スライド1305に結合されている。工程1に示されるように、親和性試薬1310は、結合されているDNAタグ1320を有する。いくつかの態様において、親和性試薬は、複数の、結合されているDNAタグを有してよい。いくつかの態様において、親和性試薬は、1個、2個、3個、4個、5個、6個、7個、8個、9個、10個、11個、12個、13個、14個、15個、16個、17個、18個、19個、20個、または20個超の、結合されているDNAタグを有してよい。DNAタグ1320は、認識配列1325を有するssDNAタグを含む。加えて、タンパク質1330は、2つのDNAタグ1340を有する。いくつかの態様において、DNAタグは、タンパク質中のシステインと反応する化学反応を用いて付加されてよい。いくつかの態様において、タンパク質は、複数の、結合されているDNAタグを有してよい。いくつかの態様において、タンパク質は、1個、2個、3個、4個、5個、6個、7個、8個、9個、10個、11個、12個、13個、14個、15個、16個、17個、18個、19個、20個、25個、30個、35個、40個、45個、50個、55個、60個、65個、70個、75個、80個、85個、90個、95個、100個、または100個超の、結合されているDNAタグを有してよい。各DNAタグ1340は、認識配列1345を有するssDNAタグを含む。
【００６５】
工程2に示されるように、DNAリンカー1350は、親和性試薬1310およびタンパク質1330にそれぞれ結合されているDNAタグ1320および1340に、ハイブリダイズする。DNAリンカー1350は、それぞれ認識配列1325および1345に相補的な配列を有する、ssDNAを含む。さらに、工程2に示されるように、認識配列1325および1345は、DNAリンカー1350がDNAタグ1320および1340の両方と同時に結合することを可能にするように、DNAリンカー1350に対して位置する。特に、DNAリンカー1350の第一の領域1352は、認識配列1325と選択的にハイブリダイズし、かつDNAリンカー1350の第二の領域1354は、認識配列1345と選択的にハイブリダイズする。いくつかの態様において、第一の領域1352、および第二の領域1354は、DNAリンカー上で、互いに離れて配置されてよい。特に、いくつかの態様において、DNAリンカーの第一の領域、およびDNAリンカーの第二の領域は、第一の領域と第二の領域との間のハイブリダイズしないスペーサー配列によって、離れて配置されてよい。さらに、いくつかの態様において、認識配列の配列は、DNAリンカーに対して完全には相補的ではない場合があり得るが、しかし依然として、DNAリンカー配列に結合し得る。いくつかの態様において、認識配列の長さは、5ヌクレオチド未満、5ヌクレオチド、6ヌクレオチド、7ヌクレオチド、8ヌクレオチド、9ヌクレオチド、10ヌクレオチド、11ヌクレオチド、12ヌクレオチド、13ヌクレオチド、14ヌクレオチド、15ヌクレオチド、16ヌクレオチド、17ヌクレオチド、18ヌクレオチド、19ヌクレオチド、20ヌクレオチド、21ヌクレオチド、22ヌクレオチド、23ヌクレオチド、24ヌクレオチド、25ヌクレオチド、26ヌクレオチド、27ヌクレオチド、28ヌクレオチド、29ヌクレオチド、30ヌクレオチド、または30ヌクレオチド超であってよい。いくつかの態様において、認識配列は、相補的なDNAタグ配列に対して、1つまたは複数の不整合を有してよい。いくつかの態様において、認識配列は、10ヌクレオチドのうちおよそ1個が、相補的DNAタグ配列に対して不整合であり得るが、しかし依然として、相補的DNAタグ配列にハイブリダイズし得る。いくつかの態様において、認識配列は、10ヌクレオチドのうち1個未満が、相補的DNAタグ配列に対して不整合であり得るが、しかし依然として、相補的DNAタグ配列にハイブリダイズし得る。いくつかの態様において、認識配列は、10ヌクレオチドのうちおよそ2個が、相補的DNAタグ配列に対して不整合であり得るが、しかし依然として、相補的DNAタグ配列にハイブリダイズし得る。いくつかの態様において、認識配列は、10ヌクレオチドのうち2個超が、相補的DNAタグ配列に対して不整合であり得るが、しかし依然として、相補的DNAタグ配列にハイブリダイズし得る。
【００６６】
親和性試薬はまた、磁気を帯びた構成要素を含んでよい。磁気を帯びた構成要素は、いくつかのもしくはすべての結合した親和性試薬を同じ画像面またはzスタックで操作するために、有用であり得る。いくつかのまたはすべての親和性試薬を同じ画像面で操作することは、画像化データの質を改善し得、かつシステム中のノイズを減少させ得る。
【００６７】
「検出器」との語は、本明細書において使用されるように、概して、シグナルを検出することができる装置を指し、該シグナルは、タンパク質への親和性試薬の結合イベントの存在または非存在を示すシグナルを含む。シグナルは、表面プラズモン共鳴（SPR）シグナルなどの、結合イベントの存在または非存在を示す直接的なシグナルであってよい。シグナルは、蛍光シグナルなどの、結合イベントの存在または非存在を示す間接的なシグナルであってよい。いくつかの場合において、検出器は、シグナルを検出することができる、光学的なおよび／または電子的な構成要素を含んでよい。「検出器」との語は、検出方法において使用され得る。検出方法の非限定的な例は、光学的検出、分光学的検出、静電気学的検出、電気化学的検出、磁気的検出、蛍光検出、表面プラズモン共鳴（SPR）等を含む。光学的検出方法は、限定されるものではないが、蛍光測定および紫外可視光吸光度を含む。分光学的検出方法は、限定されるものではないが、質量分析、核磁気共鳴（NMR）分光法、および赤外分光法を含む。静電気学的検出方法は、限定されるものではないが、たとえばゲル電気泳動などの、ゲルに基づく技術を含む。電気化学的検出方法は、限定されるものではないが、増幅産物の高速液体クロマトグラフィー分離後の、増幅産物の電気化学的検出を含む。
【００６８】
試料におけるタンパク質同定
タンパク質は、生きている生物の細胞および組織の、重要な構成要素である。一定の生物は、典型的にはプロテオームと称される、種々のタンパク質の大きなセットを産生する。プロテオームは、時間とともに変化し得、かつ細胞または生物が経験するさまざまなステージ（たとえば細胞サイクルのステージもしくは疾患の状態）の機能としても変化し得る。プロテオームの大規模研究（たとえば実験による分析）は、プロテオミクスと称され得る。プロテオミクスにおいては、タンパク質を同定するための複数の方法が存在しており、該方法はイムノアッセイ（たとえば酵素結合免疫吸着アッセイ（ELISA）およびウェスタンブロット）、質量分光に基づく方法（たとえばマトリックス支援レーザー脱離イオン化法（MALDI）およびエレクトロスプレーイオン化法（ESI））、混成の方法（たとえば質量分析イムノアッセイ（MSIA））、ならびにタンパク質マイクロアレイを含む。たとえば、単一分子プロテオミクスの手法が、アミノ酸の直接的な機能化から親和性試薬の使用までにわたる多様なアプローチによって、試料中のタンパク質分子のアイデンティティを推定するために、試みられてよい。そのようなアプローチから集められた情報または測定は、典型的には、試料中に存在するタンパク質を同定するために、適したアルゴリズムによって分析される。
【００６９】
タンパク質の正確な定量はまた、感度の欠如、特異性の欠如、および検出器ノイズのために、難題に直面し得る。特に、試料中のタンパク質の正確な定量は、タンパク質を同定および定量する際に誤りを引き起こし得る、検出器のシグナルレベルにおける無作為かつ予測不可能なシステム上の変動のために、難題に直面し得る。いくつかの場合において、機器および検出体系は、機器の診断を、およびコモンモードでの挙動をモニターすることによって、較正され得、かつ除去され得る。しかしながら、タンパク質の結合（たとえば親和性試薬プローブによる）は、本質的には、理想的ではない感度および結合の特異性を有する、確率論的なプロセスである。
【００７０】
本開示は、タンパク質の正確でかつ効率の良い同定のための方法およびシステムを提供する。本明細書において提供される方法およびシステムは、試料中のタンパク質を同定する際の誤りを有意に減少または排除することができる。そのような方法およびシステムは、未知のタンパク質の試料中の候補タンパク質の、正確でかつ効率の良い同定を達成し得る。タンパク質同定は、1つまたは複数の候補タンパク質に選択的に結合するように設定されている親和性試薬プローブの結合測定の情報を用いる、反復した算定に基づき得る。タンパク質同定は、最小限のメモリフットプリントで計算できるように、最適化され得る。タンパク質同定は、1つまたは複数の候補タンパク質のそれぞれが試料中に存在する信頼水準を生成する工程を含み得る。
【００７１】
1つの局面において、本明細書において、未知のタンパク質の試料中の候補タンパク質を反復して同定するための、コンピューターによって遂行される方法100が開示される（たとえば図1に示されるように）。方法は、試料中の未知のタンパク質に対する複数の親和性試薬プローブのそれぞれについての結合測定の情報を、コンピューターによって受信する工程（たとえば工程105）を含み得る。いくつかの態様において、複数の親和性試薬プローブは、複数の個々の親和性試薬プローブの、プールを含んでよい。たとえば、親和性試薬プローブのプールは、2種類の、3種類の、4種類の、5種類の、6種類の、7種類の、8種類の、9種類の、10種類の、または10種類超の親和性試薬プローブを含んでよい。いくつかの態様において、親和性試薬プローブのプールは、2種類の親和性試薬プローブを含んでよく、該組み合わせは、親和性試薬プローブのプール中の親和性試薬プローブの組成の大半を占める。いくつかの態様において、親和性試薬プローブのプールは、3種類の親和性試薬プローブを含んでよく、該組み合わせは、親和性試薬プローブのプール中の親和性試薬プローブの組成の大半を占める。いくつかの態様において、親和性試薬プローブのプールは、4種類の親和性試薬プローブを含んでよく、該組み合わせは、親和性試薬プローブのプール中の親和性試薬プローブの組成の大半を占める。いくつかの態様において、親和性試薬プローブのプールは、5種類の親和性試薬プローブを含んでよく、該組み合わせは、親和性試薬プローブのプール中の親和性試薬プローブの組成の大半を占める。いくつかの態様において、親和性試薬プローブのプールは、5種類超の親和性試薬プローブを含んでよく、該組み合わせは、親和性試薬プローブのプール中の親和性試薬プローブの組成の大半を占める。親和性試薬プローブのそれぞれは、複数の候補タンパク質の中の1つまたは複数の候補タンパク質に選択的に結合するように設定され得る。親和性試薬プローブは、kマーの親和性試薬プローブであり得る。いくつかの態様において、kマーの親和性試薬プローブそれぞれは、複数の候補タンパク質の中の1つまたは複数の候補タンパク質に選択的に結合するように設定される。結合測定の情報は、未知のタンパク質に結合したと考えられるプローブのセットを含み得る。
【００７２】
次に、結合測定の情報の少なくとも一部分が、複数のタンパク質配列を含むデータベースに対して、コンピューターによって比較され得る（たとえば工程110）。タンパク質配列のそれぞれは、複数の候補タンパク質の中の1つの候補タンパク質に対応し得る。複数の候補タンパク質は、少なくとも10個、少なくとも20個、少なくとも30個、少なくとも40個、少なくとも50個、少なくとも60個、少なくとも70個、少なくとも80個、少なくとも90個、少なくとも100個、少なくとも150個、少なくとも200個、少なくとも250個、少なくとも300個、少なくとも350個、少なくとも400個、少なくとも450個、少なくとも500個、少なくとも600個、少なくとも700個、少なくとも800個、少なくとも900個、少なくとも1000個、または1000個超の、異なる候補タンパク質を含んでよい。
【００７３】
次に、複数の候補タンパク質中の1つまたは複数の候補タンパク質のそれぞれについて、候補タンパク質が試料中に存在する確率が、コンピューターによって算定または生成され得る（たとえば工程115）。算定または生成は、反復して実施され得る。あるいは、算定または生成は、反復せずに実施され得る。確率は、候補タンパク質の結合測定の情報の、複数のタンパク質配列を含むデータベースに対する比較に基づいて、反復して生成され得る。したがって、アルゴリズムへの入力は、タンパク質配列のデータベース、および未知のタンパク質に結合したと考えられるプローブのセットを、含み得る。アルゴリズムの出力は、データベース中の各タンパク質が試料中に存在し得る確率を、含み得る。
【００７４】
いくつかの態様において、工程115において算定される、出力される確率は、以下のように表現され得る：P(タンパク質_i | プローブ[1, 2, …, n], 長さ(タンパク質_i))。この値は、タンパク質_iに結合するプローブのセット[1, 2, …, n]、およびタンパク質_iの長さ（たとえばペプチドの数）が与えられるとき、所与のタンパク質（タンパク質_i）が試料中に存在する確率を、示す。
【００７５】
いくつかの態様において、出力される確率を算定する工程は、1つまたは複数の親和性試薬（プローブ）がタンパク質に着地する確率の積を求めることを含み得る。たとえば、n個のプローブがタンパク質に結合することが検出されているならば、異なるプローブそれぞれがタンパク質に着地する確率は、P_着地_プローブ_1, P_着地_プローブ_2, …, P_着地_プローブ_nのように表現され得る。したがって、1つまたは複数の親和性試薬（プローブ）がタンパク質に着地する確率の積は、Product(P_着地_プローブ_1, P_着地_プローブ_2, …, P_着地_プローブ_n)のように表現され得る。
【００７６】
いくつかの態様において、出力される確率を算定する工程は、1つまたは複数の親和性試薬（プローブ）がタンパク質に着地した確率の積を、長さ係数によって正規化することを含み得る。長さ係数は、長大な（たとえばより長い）タンパク質は、長大でない（たとえばより短い）タンパク質と比較して、それに結合する（たとえば着地する）より多数の親和性試薬を無作為に有する可能性がより高いという前提を、考慮に入れてよい。長さ係数は、基数Len_i（タンパク質_iの長さを表す）のセットのうちのn個の組み合わせ、つまり二項係数「Len_i choose n」として表現され得、これはChoose(Len_i, n)としても表され得る。長さ係数は、サイズnの要素のサブセット（たとえばタンパク質に着地するいくつかのプローブ）を、それらの順番は考慮せずに、要素Len_iのセット（たとえば長さiのタンパク質）から選択するための、異なる様式の数を表す。したがって、長さ係数で正規化されたまたはそれで割った、1つまたは複数の親和性試薬（プローブ）がタンパク質に着地した確率の積は、以下のように表現され得る：
[Product(P_着地_プローブ_1, P_着地_プローブ_2, …, P_着地_プローブ_n) / Choose(Len_i, n)]。この値はまた、正規化されていない、タンパク質_iが試料中に存在する確率とも、称され得る。
【００７７】
前記候補タンパク質の長さは、特定の親和性試薬との結合に関して、候補タンパク質における利用可能なエピトープ（「結合部位」）の数に近似する代替値であることを認識した上で、いくつかの態様において、出力される確率を算定する工程は、前記確率それぞれを、前記候補タンパク質のそれぞれにおいて利用可能な結合部位の総数に対して正規化することを含み得る。いくつかの態様において、前記候補タンパク質のそれぞれについて利用可能な結合部位の数は、定性プロセスを用いて、実験によって決定される。いくつかの態様において、前記定性プロセスは、特定のタンパク質への親和性試薬の結合を、繰り返して測定する。いくつかの態様において、前記定性プロセスは、本明細書において記載されるタンパク質同定の前記方法およびシステムの最中に示される条件と類似のまたは同一の条件下で、実施される。
【００７８】
いくつかの態様において、出力される確率を算定する工程は、正規化されていない、タンパク質_iが試料中に存在する確率を、正規化することを含み得る。正規化は、データベース中のすべてのタンパク質（たとえば複数の候補タンパク質）にわたる、すべての正規化されていない確率の合計で割ることを、含み得る。たとえば、データベース中のすべてのタンパク質j（たとえば複数の候補タンパク質）にわたる、すべての正規化されていない確率の合計は、SUM(P(タンパク質_j | プローブ[1, …, n], 長さ(タンパク質_j))のように表現され得る。したがって、正規化された、タンパク質_iが試料中に存在する確率は、以下のように表現され得る：
P(タンパク質_i | プローブ[1, 2, …, n], 長さ(タンパク質_i)) = [Product(P_着地_プローブ_1, P_着地_プローブ_2, …, P_着地_プローブ_n) / Choose(Len_i, n)] / SUM(P(タンパク質_j | プローブ[1, …, n], 長さ(タンパク質_j)))
【００７９】
いくつかの態様において、複数の確率を生成する工程は、複数の追加の親和性試薬プローブのそれぞれについての結合測定の追加の情報を、反復して受信することをさらに含む。追加の親和性試薬プローブのそれぞれは、複数の候補タンパク質の中の1つまたは複数の候補タンパク質に選択的に結合するように設定され得る。たとえば、出力される確率の第一の値は、以下に表されるように、2つの着地するプローブに基づいて、各候補タンパク質について生成され得る：
P(タンパク質_i | プローブ[1, 2], 長さ(タンパク質_i)) = [Product(P_着地_プローブ_1, P_着地_プローブ_2 / Choose(Len_i, 2)] / SUM(P(タンパク質_j | プローブ[1, 2], 長さ(タンパク質_j)))
【００８０】
次に、複数の追加の親和性試薬プローブのそれぞれについての結合測定の追加の情報が、反復して受信され得、そして出力される確率の、次の反復された値として、反復して算定され得、それにより、出力される確率の第二の値を生成する。たとえば、出力される確率の第二の値は、以下に表されるように、第一の2つの着地プローブ（プローブ1および2）、ならびに第二の2つの着地プローブ（プローブ3および4）に基づいて、各候補タンパク質について生成され得る：
P(タンパク質_i | プローブ[1, 2, 3, 4], 長さ(タンパク質_i)) = [Product(P_着地_プローブ_1, P_着地_プローブ_2, P_着地_プローブ_3, P_着地_プローブ_4) / Choose(Len_i, 4)] / SUM(P(タンパク質_j | プローブ[1, 2, 3, 4], 長さ(タンパク質_j)))
【００８１】
いくつかの態様において、工程115において算定または生成される、出力される確率は、候補タンパク質における結合測定が、観測される測定アウトカムを生成する、確率である。「結合測定アウトカム」との語は、本明細書において使用されるように、結合測定を実施する際に観測される情報を指す。たとえば、親和性試薬結合実験の結合測定アウトカムは、試薬の結合または非結合のいずれかであり得る。加えて、またはあるいは、複数の候補タンパク質中の1つまたは複数の候補タンパク質のそれぞれに関して、候補タンパク質における結合測定が、観測される測定アウトカムを生成しない確率が、コンピューターによって算定または生成され得る。加えて、またはあるいは、候補タンパク質における結合測定が、観測されない測定アウトカムを生成する確率が、コンピューターによって算定または生成され得る。加えて、またはあるいは、候補タンパク質における一連の結合測定が、アウトカムセットを生成する確率が、コンピューターによって算定または生成され得る。
【００８２】
「結合アウトカムセット」とは、本明細書において使用されるように、あるタンパク質に関する、複数の独立した結合測定アウトカムを指す。たとえば、実験による、一連の親和性試薬結合測定が、未知のタンパク質において実施され得る。個々の親和性試薬それぞれの結合測定は、結合測定アウトカムを含み、そしてすべての結合測定アウトカムのセットが、結合アウトカムセットである。いくつかの場合において、結合アウトカムセットは、観測されたすべての結合アウトカムのサブセットであってよい。いくつかの場合において、結合アウトカムセットは、実験によって観測されなかった結合測定アウトカムを、含んでよい。
【００８３】
加えて、またはあるいは、複数の候補タンパク質中の1つまたは複数の候補タンパク質のそれぞれに関して、未知のタンパク質が候補タンパク質である確率が、コンピューターによって算定または生成され得る。
【００８４】
工程115における確率は、未知のタンパク質の結合測定アウトカムの、すべての候補タンパク質に関する複数のタンパク質配列を含むデータベースに対する比較に基づいて、生成され得る。したがって、アルゴリズムへの入力は、候補タンパク質配列のデータベース、および結合測定（たとえば、未知のタンパク質に結合したと考えられるプローブ）のセットを含み得る。いくつかの場合において、アルゴリズムへの入力は、親和性試薬の任意のものが候補タンパク質の任意のものに関して任意の結合測定を生成する確率（たとえば、各親和性試薬に関する、三量体レベルの結合確率）を推測することに関するパラメーターを、含み得る。アルゴリズムの出力は、仮定された候補タンパク質のアイデンティティが与えられるとき、結合測定アウトカムがまたは結合アウトカムセットが観測される確率を、含み得る。加えて、またはあるいは、アルゴリズムの出力は、結合測定アウトカムがまたは結合アウトカムセットが与えられるとき、未知のタンパク質に関して、候補タンパク質のセットから選択される最も可能性の高いアイデンティティ、および該同定が正確である確率を、含み得る。加えて、またはあるいは、アルゴリズムの出力は、高確率の候補タンパク質のアイデンティティのグループ、および未知のタンパク質がグループ中のタンパク質の1つであるという、関連する確率を、含み得る。候補タンパク質が、測定されたタンパク質であるとすると、結合測定アウトカムが観測される確率は、以下のように表現され得る：
P(結合測定アウトカム | タンパク質)
【００８５】
いくつかの態様において、P(結合測定アウトカム | タンパク質)は、完全にインシリコで算定される。いくつかの態様において、P(結合測定アウトカム | タンパク質)は、タンパク質のアミノ酸配列の特徴に基づいて算定される、または該特徴に由来する。いくつかの態様において、P(結合測定アウトカム | タンパク質)は、タンパク質のアミノ酸配列の知見からは独立して算定される。たとえば、P(結合測定アウトカム | タンパク質)は、タンパク質候補の単離物における繰り返しの実験において結合測定を入手し、そしてP(結合測定アウトカム | タンパク質)を頻度：（結合測定の総数で割った、アウトカムを有する結合測定の数）から算定することによって、実験により決定され得る。いくつかの態様において、P(結合測定アウトカム | タンパク質)は、タンパク質についての過去の結合測定のデータベースに基づいて算定される、またはそれに由来する。いくつかの態様において、P(結合測定アウトカム | タンパク質)は、打ち切りの結合測定の結果を有する未知のタンパク質の集団から、信頼性を有するタンパク質同定のセットを生成し、そしてその後、候補タンパク質として信頼性を有して同定された、未知のタンパク質のセットの中の、結合測定アウトカムの頻度を算定することに基づいて算定される、またはそれに由来する。
【００８６】
いくつかの態様において、未知のタンパク質の集団が、P(結合測定アウトカム | タンパク質)のシード値を用いて同定され得、かつシード値は、候補タンパク質に信頼性を有して整合した未知のタンパク質の中の、結合測定アウトカムの頻度に基づいて、改良され得る。いくつかの態様において、このプロセスは、アップデートされた結合測定アウトカムの確率に基づいて生成された、新規の同定を用いて繰り返され、そしてその後、新規の結合測定アウトカムの確率が、信頼性を有する同定のアップデートされたセットから、生成され得る。いくつかの態様において、1つまたは複数のタンパク質について結合測定アウトカムの確率を予測するためのインシリコモデルのパラメーターは、信頼性を有して同定される未知のタンパク質の中の、観測された結合測定アウトカムに基づいて、学習またはアップデートされる。いくつかの態様において、このプロセスは、アップデートされたインシリコモデルに基づいて生成された新規の同定を用いて繰り返され、そしてその後、新規の測定アウトカムの確率が、アップデートされたインシリコモデルから、生成され得る。
【００８７】
候補タンパク質が、測定されているタンパク質であるとすると、結合測定アウトカムが観測されない確率は、以下のように表現され得る：
P(非結合測定アウトカム | タンパク質) = 1 - P(結合測定アウトカム | タンパク質)
【００８８】
候補タンパク質が、測定されているタンパク質であるとすると、N個の個々の結合測定アウトカムからなる結合測定アウトカムセットが観測される確率は、個々の結合測定アウトカムそれぞれについての確率の積として、表現され得る：
P(結合アウトカムセット | タンパク質) = P(結合測定アウトカム1 | タンパク質) * P(結合測定アウトカム2 | タンパク質) * … * P(結合測定アウトカムN | タンパク質)
【００８９】
未知のタンパク質が候補タンパク質（タンパク質i）である確率は、可能性のある候補タンパク質それぞれについての結合アウトカムセットの確率に基づいて、算定され得る。
【００９０】
いくつかの態様において、未知のタンパク質が候補タンパク質（タンパク質i）である確率は、N個の候補タンパク質の完全なセットの各候補タンパク質jについて結合アウトカムセットが観測される合計の確率の分数として、算定される：
2021501332.tif 000003
【００９１】
いくつかの態様において、結合測定アウトカムセットは、親和性試薬プローブの結合を含む。いくつかの態様において、結合測定アウトカムセットは、親和性試薬プローブの非特異的結合を含む。
【００９２】
いくつかの態様において、方法は、試料において測定されたすべての未知のタンパク質に方法を適用する工程をさらに含む。いくつかの態様において、方法は、1つまたは複数の候補タンパク質のそれぞれに関して、候補タンパク質が試料中の未知のタンパク質の1つに整合する信頼水準を生成する工程をさらに含む。信頼水準は、確率値（probability value）を含み得る。あるいは、信頼水準は、誤りを有する確率値を、含み得る。あるいは、信頼水準は、ある信頼度（約90%の、約95%の、約96%の、約97%の、約98%の、約99%の、約99.9%の、約99.99%の、約99.999%の、約99.9999%の、約99.99999%の、約99.999999%、約99.9999999%の、約99.99999999%の、約99.999999999%の、約99.9999999999%の、約99.99999999999%の、約99.999999999999%の、約99.9999999999999%の信頼度、または99.9999999999999%超の信頼度）を任意で有する、ある範囲の確率値を、含み得る。
【００９３】
いくつかの態様において、方法は、タンパク質同定、および関連する確率を、試料中の未知のタンパク質それぞれについて、独立して生成する工程、ならびに試料中の、同定された独特なタンパク質すべてのリストを生成する工程を、さらに含む。いくつかの態様において、方法は、試料中の候補タンパク質それぞれの量を決定するために、独特な候補タンパク質それぞれについて生成された同定の数を数える工程をさらに含む。いくつかの態様において、タンパク質同定および関連する確率の集合物は、高いスコア、高い信頼度、および／または低い偽発見率の同定のみが含まれるように、フィルタリングされ得る。
【００９４】
いくつかの態様において、結合確率は、全長の候補タンパク質に対する親和性試薬に関して生成され得る。いくつかの態様において、結合確率は、タンパク質断片（たとえば完全なタンパク質配列の部分配列）に対する親和性試薬に関して生成され得る。たとえば、未知のタンパク質それぞれの最初の100アミノ酸のみがコンジュゲートされているような様式で、未知のタンパク質が処理されそして基材にコンジュゲートされた場合、最初の100アミノ酸以外のエピトープ結合についてのすべての結合確率がゼロに、またはあるいは誤り率を表す非常に低い確率にセットされるようにして、結合確率はタンパク質候補それぞれについて生成され得る。類似のアプローチが、各タンパク質の最初の10アミノ酸、20アミノ酸、50アミノ酸、100アミノ酸、150アミノ酸、200アミノ酸、300アミノ酸、400アミノ酸、または400超のアミノ酸が基材にコンジュゲートされる場合に、使用され得る。類似のアプローチが、最後の10アミノ酸、20アミノ酸、50アミノ酸、100アミノ酸、150アミノ酸、200アミノ酸、300アミノ酸、400アミノ酸、または400超のアミノ酸が基材にコンジュゲートされる場合に、使用され得る。
【００９５】
いくつかの態様において、タンパク質が、コンジュゲーションの前または後に、断片を生成するために処理されている可能性がある場合、各タンパク質の断片化は、確定的でなくてよい。たとえば、タンパク質は、基材へのコンジュゲーションの前に、物理的に剪断され得る。そのような場合においては、親和性試薬の結合確率は、タンパク質断片のアイデンティティ（たとえば該断片を含む完全なタンパク質候補の部分配列の開始点および停止点）を用いてジョイントモデル化され得る。たとえば、期待値最大化アプローチが、各タンパク質候補について結合確率を生成する際に使用され得、該アプローチは、観測された結合測定に基づいて、タンパク質候補によって生成された、もっとも可能性の高い断片の推測を、反復して改良し、そして次に、モデル化されたタンパク質断片への各親和性試薬の結合の確率をアップデートする。
【００９６】
いくつかの場合において、タンパク質断片のモデリングは、タンパク質候補から特定の断片を生成する尤度についての事前知識を組み込んでよい。たとえば、タンパク質断片の、予想される長さ分布についての事前知識が、与えられ得る。別の例として、リジンまたはアルギニンによって挟まれたタンパク質断片に好都合な事前知識が、未処理のタンパク質が、コンジュゲーションの前にトリプシン酵素を用いて処理される場合に、与えられ得る。いくつかの態様において、結合測定がそれに対して比較される、候補タンパク質配列のデータベースは、タンパク質断片を含んでよい。たとえば、供給源試料のトリプシン消化物に由来するペプチド混合物が基材にコンジュゲートされた場合、タンパク質候補リストは、未処理のタンパク質配列のデータベースのインシリコでの消化から生成された、完全にトリプシン消化されたあらゆるペプチドを、含み得る。そのような場合においては、親和性試薬の結合測定からの結果は、試料中の未知のタンパク質の断片それぞれについて、最も可能性の高いトリプシン消化されたペプチドを同定するために、使用され得る。そのような場合においては、結果としてもたらされるペプチドのアイデンティティおよび／または量は、タンパク質推定アプローチを用いる、タンパク質レベルの測定へと、変換され得、該アプローチの多数の例は、たとえば質量分析の分野において、存在する。
【００９７】
いくつかの態様において、整合対の片方として1つのタンパク質候補が、未知のタンパク質へと割り当てられることができない場合、整合対の片方として潜在的なタンパク質候補のグループが、未知の候補に割り当てられ得る。信頼水準は、グループ中のタンパク質候補のいずれかのうち1つである未知のタンパク質に、割り当てられ得る。信頼水準は、確率値を含み得る。あるいは、信頼水準は、誤りを有する確率値を、含み得る。あるいは、信頼水準は、ある信頼度（たとえば、約90%の、約95%の、約96%の、約97%の、約98%の、または約99%の信頼度）を任意で有する、ある範囲の確率値を、含み得る。たとえば、未知のタンパク質は、2つのタンパク質候補に、強固に整合し得る。2つのタンパク質候補は、高い配列類似性を有し得る（たとえば、タンパク質アイソフォーム、カノニカル配列と比較して1アミノ酸変異を有するタンパク質）。これらの場合においては、個々のタンパク質候補が高い信頼度で割り当てられることはない可能性があるが、しかしながら高い信頼度は、強固に整合する2つのタンパク質候補を含む「タンパク質グループ」のうちの、単一のしかし未知のメンバーに整合する、未知のタンパク質に、起因し得る。
【００９８】
いくつかの態様において、未知のタンパク質が光学的に区別されない状態を検出するための労力が費やされ得る。たとえば、まれな出来事として、2つ以上のタンパク質が基材の同じ「ウェル」または位置に結合する可能性が、これが生じるのを防ぐための労力にもかかわらず、ある。いくつかの場合において、コンジュゲートされたタンパク質は、非特異的な色素によって処理されてよく、そして色素からのシグナルが測定されてよい。2つ以上のタンパク質が光学的に区別されないという状況においては、色素から生じるシグナルは、タンパク質1つを含む位置よりも強いものであり得、かつ複数のタンパク質が結合している位置を知らせるために使用され得る。
【００９９】
いくつかの態様において、複数の候補タンパク質は、未知のタンパク質の試料がそれから得られるもしくはそれに由来する、ヒトもしくは生物のDNAもしくはRNAを、配列決定もしくは分析することによって、生成される、または修飾される。
【０１００】
いくつかの態様において、方法は、未知のタンパク質の翻訳後修飾についての情報を導き出す工程をさらに含む。翻訳後修飾についての情報は、特定の修飾の性質についての知見無しの、翻訳後修飾の存在を含み得る。データベースは、PTMの指数積とみなされ得る。たとえば、タンパク質候補配列が未知のタンパク質に割り当てられたら、アッセイされたタンパク質についての親和性試薬結合のパターンが、以前の実験からの、同じ候補への親和性試薬の結合測定を含むデータベースと、比較され得る。たとえば、結合測定のデータベースは、既知の位置において既知の配列の未改変のタンパク質を含む核酸プログラマブルタンパク質アレイ（Nucleic Acid Programmable Protein Array）（NAPPA）への結合に、由来してよい。
【０１０１】
あるいは、結合測定のデータベースは、タンパク質候補配列が未知のタンパク質に、信頼性を有して割り当てられた以前の実験に、由来してよい。アッセイされたタンパク質と既存の測定のデータベースとの間の、結合測定における不一致は、翻訳後修飾の尤度についての情報を提供し得る。たとえば、親和性作用物質が、データベースにおいて、候補タンパク質への高頻度の結合を有するが、アッセイされたタンパク質には結合しない場合、翻訳後修飾がタンパク質上のどこかに存在する、より高い尤度が存在する。それについて結合の不一致がある親和性試薬に関して、結合エピトープが既知である場合、翻訳後修飾の位置は、親和性試薬の結合エピトープの場所に、またはその近くに、位置する可能性がある。いくつかの態様において、特定の翻訳後修飾についての情報は、特定の翻訳後修飾を特異的に除去する酵素でタンパク質−基材コンジュゲートを処理する前および後に、繰り返される親和性試薬測定を実施することによって、導き出され得る。たとえば、結合測定は、一連の親和性試薬に関して、ホスファターゼでの基材の処理の前に入手されてよく、そしてその後、ホスファターゼでの処理の後に繰り返されてよい。ホスファターゼ処理の前には未知のタンパク質に結合するが、ホスファターゼ処理後には結合しない（差異のある結合の）親和性試薬は、リン酸化の証拠を提供する。差異のある結合の親和性試薬によって認識されるエピトープが既知である場合、リン酸化は、親和性試薬に対する結合エピトープの場所に、またはその近くに、位置する可能性がある。
【０１０２】
いくつかの場合において、特定の翻訳後修飾の数は、特定の翻訳後修飾に対する親和性試薬を用いた結合測定を用いて、決定され得る。たとえば、リン酸化イベントを認識する抗体が、親和性試薬として使用されてよい。この試薬の結合は、未知のタンパク質における少なくとも1つのリン酸化の存在を示し得る。いくつかの場合において、未知のタンパク質における、特定のタイプの別個の翻訳後修飾の数が、特定の翻訳後修飾に対して特異的な親和性試薬について測定された結合イベントの数を数えることによって、決定され得る。たとえば、リン酸化特異的抗体が、蛍光レポーターにコンジュゲートされてよい。この場合、蛍光シグナルの強度が、未知のタンパク質に結合したリン酸化特異的親和性試薬の数を決定するために、使用され得る。未知のタンパク質に結合したリン酸化特異的親和性試薬の数は、次に、未知のタンパク質におけるリン酸化部位の数を決定するために、使用され得る。いくつかの態様において、より正確な、翻訳後修飾の数、同定、または配置を導き出すために、親和性試薬の結合実験からの証拠は、翻訳後に修飾されている可能性のあるアミノ酸配列モチーフまたは特異的なタンパク質の位置についての既存の知見（たとえばdbPTM、PhosphoSitePlus、もしくはUniProtから）と、組み合わせられ得る。たとえば、翻訳後修飾の位置が、親和性測定のみからは、正確には決定されない場合、関心対象の翻訳後修飾にしばしば関連するアミノ酸配列モチーフを含む位置が、好都合であり得る。
【０１０３】
いくつかの態様において、確率を生成する工程は、結合測定の情報に関連する、検出器の誤り率を考慮に入れることを含む。検出器の誤り率は、真の着地率を含み得る。たとえば、検出器の誤り率は、プローブのタンパク質への「着地」の失敗に起因し得、これはたとえば、プローブがシステムにおいてスタックし、そして適切に洗い流されない場合、またはプローブが、プローブの以前の定性および試験に基づいて予想されることのなかったタンパク質に結合する場合である。あるいは、検出器の誤り率は、検出器の物理的な誤りに起因し得、かつ結合測定の情報を入手するために使用される1つまたは複数の検出器の仕様書から、得られ得る。検出器の誤り率は、以下のうちの1つまたは複数を含み得る：検出器の物理的な誤り率、オフターゲット結合率、またはスタックしたプローブによる誤り率。いくつかの態様において、検出器の誤り率は、検出器の推測誤り率にセットされる。あるいは、検出器の推測誤り率は、コンピューターのユーザーによってセットされてよい。いくつかの態様において、検出器の推測誤り率は、約0.0001、約0.0002、約0.0003、約0.0004、約0.0005、約0.0006、約0.0007、約0.0008、約0.0009、約0.001、約0.002、約0.003、約0.004、約0.005、約0.006、約0.007、約0.008、約0.009、約0.01、約0.02、約0.03、約0.04、約0.05、約0.06、約0.07、約0.08、約0.09、約0.1、または約0.1超である。
【０１０４】
ヒットテーブルは、ヒットテーブルの列のそれぞれが異なるタンパク質（たとえば、異なる長さを有する）を表すように、および／またはヒットテーブルの行のそれぞれが異なるプローブを表すように、生成され得る。ヒットテーブルの所与の要素（たとえば行jおよび列iにおいて）の各値は、試料に曝露された、所与のプローブjが、所与のタンパク質iに結合できるか否かを示す値を、含み得る。たとえば、プローブjがタンパク質iに結合できる場合、ヒットテーブルの要素は1にセットされることができ（たとえば行jおよび列iにおいて）、かつ、そうでない場合は0にセットされることができる。この情報は徐々に到着し得るので、したがってヒットテーブルは、反復して計算されてよい。
【０１０５】
ヒットテーブルから、確率マトリックスが算定または生成され得る。プローブjが試料中のタンパク質iに曝露されるとすると、確率マトリックスの所与の要素の各値は、結合測定が観測される確率を示す値を含み得る。この確率は、P(タンパク質_i | プローブ_j)のように表現されることができる。対応するヒットテーブルエントリーが、1より大きいかまたは1と等しい場合、確率マトリックスエントリーは、真の着地率（たとえばP_着地_プローブ_j））にセットされることができる。対応するヒットテーブルエントリーが0である場合、確率マトリックスエントリーは、検出器の誤り率（たとえば0.0001）にセットされることができる。検出器の誤り率は、以下のうちの1つまたは複数を含み得る：検出器の物理的な誤り率、オフターゲット結合率、またはスタックしたプローブによる誤り率。
【０１０６】
いくつかの態様において、複数の確率を反復して生成する工程は、続く反復から、複数の候補タンパク質からの1つまたは複数の候補タンパク質を除去することをさらに含み、それにより、確率の反復した生成を実施するために必要ないくつかの反復を減少させる。いくつかの態様において、1つまたは複数の候補タンパク質を除去することは、候補タンパク質に関連する結合測定の所定の基準に少なくとも基づいている。いくつかの態様において、所定の基準は、複数の親和性試薬プローブの中の第一の複数への、所定の閾値を下回る結合測定を有する、1つまたは複数の候補タンパク質を、含む。タンパク質は、たとえば、k個のプローブの結合が測定された後で、そのP(タンパク質 i | プローブ [1..k])が0.01未満、0.001未満、0.0001未満、0.00001未満、0.000001未満、または0.0000001未満である場合に、検討から除外され得る。タンパク質はまた、それが試料から、実験上除去された場合にも、検討から除外され得る。
【０１０７】
いくつかの態様において、本明細書の他の箇所において記載されるように、確率のそれぞれは、候補タンパク質の長さに対して正規化される。いくつかの態様において、本明細書の他の箇所において記載されるように、確率のそれぞれは、複数候補タンパク質の確率の総和に対して正規化される。いくつかの態様において、複数の親和性試薬プローブは、10個以下、20個以下、30個以下、40個以下、50個以下、60個以下、70個以下、80個以下、90個以下、100個以下、150個以下、200個以下、250個以下、300個以下、350個以下、400個以下、450個以下、500個以下、または500個超の親和性試薬プローブを含む。
【０１０８】
いくつかの態様において、確率は、所定の条件が満たされるまで、反復して生成される。いくつかの態様において、所定の条件は、少なくとも50%、少なくとも55%、少なくとも60%、少なくとも65%、少なくとも70%、少なくとも75%、少なくとも80%、少なくとも85%、少なくとも90%、少なくとも91%、少なくとも92%、少なくとも93%、少なくとも94%、少なくとも95%、少なくとも96%、少なくとも97%、少なくとも98%、少なくとも99%、または少なくとも99.9%の信頼度で複数の確率のそれぞれを生成することを、含む。
【０１０９】
いくつかの態様において、方法は、試料中の1つまたは複数の未知のタンパク質を同定する紙のまたは電子的なレポートを生成する工程をさらに含む。紙のまたは電子的なレポートは、候補タンパク質のそれぞれに関して、候補タンパク質が試料中に存在することの信頼水準を、さらに示し得る。信頼水準は、確率値を含み得る。あるいは、信頼水準は、誤りを有する確率値を、含み得る。あるいは、信頼水準は、ある信頼度（たとえば90%の、95%の、96%の、97%の、98%の、または99%の信頼度）を任意で有する、ある範囲の確率値を、含み得る。紙のまたは電子的なレポートは、予想される偽発見率の閾値（たとえば、10%未満、5%未満、4%未満、3%未満、2%未満、1%未満、0.5%未満、0.4%未満、0.3%未満、0.2%未満、または0.1%未満の偽発見率）を下回って同定されるタンパク質候補のリストを、さらに示し得る。偽発見率は、信頼度の降順で、タンパク質同定を最初に並べ替えることによって、推測され得る。並べ替えられたリストにおける、任意の点での推測された偽発見率は、その後、1 - avg_c_probとして算定され得、ここでavg_c_probは、リストにおける現在の点またはそれより前の（より高い信頼度）、すべてのタンパク質についての平均の候補の確率である。望ましい偽発見率の閾値を下回るタンパク質同定のリストは、その後、並べ替えられたリストにおける、偽発見率が閾値よりも高い、最も初期の点より前の、すべてのタンパク質同定を戻すことによって、生成され得る。あるいは、望ましい偽発見率の閾値を下回るタンパク質同定のリストは、並べ替えられたリストにおける、偽発見率が望ましい閾値を下回るかまたはそれと等しい、最も後期の点を含めた、それより前のすべてのタンパク質を戻すことによって、生成され得る。
【０１１０】
いくつかの態様において、試料は、生物学的試料を含む。生物学的試料は、対象から得られてよい。いくつかの態様において、方法は、複数の確率に少なくとも基づいて、対象における疾患の状態または障害を同定する工程をさらに含む。いくつかの態様において、方法は、各タンパク質候補について生成された同定の数を数えることによって、タンパク質を定量する工程をさらに含む。たとえば、試料中に存在するタンパク質の絶対量（タンパク質分子の数）は、タンパク質候補から生成された、信頼性を有する同定の数を数えることによって算定されることができる。いくつかの態様において、量は、アッセイされた未知のタンパク質の総数のパーセンテージとして、算定され得る。いくつかの態様において、生の同定数は、機器および検出システムからのシステム上の誤りを除去するために、較正され得る。いくつかの態様において、量は、タンパク質候補の可検出性の変動によって引き起こされる量の偏りを除去するために、較正され得る。タンパク質の可検出性は、実験による測定、またはコンピューターシミュレーションから評価され得る。
【０１１１】
疾患または障害は、感染性疾患、免疫障害もしくは免疫疾患、がん、遺伝性疾患、変性疾患、生活習慣病、創傷、希少疾患、または加齢に関する疾患であり得る。感染性疾患は、細菌、ウイルス、菌類、および／または寄生生物によって引き起こされ得る。がんの非限定的な例は、膀胱がん、肺がん、脳のがん、黒色腫、乳がん、非ホジキンリンパ腫、子宮頸がん、卵巣がん、結腸、直腸のがん、膵臓がん、食道がん、前立腺がん、腎臓がん、皮膚がん、白血病、甲状腺がん、肝臓がん、および子宮がんを含む。遺伝性疾患または遺伝性障害のいくつかの例は、限定されるものではないが、嚢胞性線維症、シャルコー・マリー・トゥース病、ハンチントン病、ポイツ・ジェガース症候群、ダウン症候群、関節リウマチ、およびテイ・サックス病を含む。生活習慣病の非限定的な例は、肥満、糖尿病、動脈硬化症、心臓病、脳卒中、高血圧、肝硬変、腎炎、がん、慢性閉塞性肺疾患（copd）、聴覚の問題、および慢性背痛を含む。創傷のいくつかの例は、限定されるものではないが、擦過傷、脳損傷、挫傷、火傷、震とう症、うっ血性心不全、建築現場での傷害、脱臼、動揺胸、骨折、血胸、椎間板ヘルニア、ヒップポインター、低体温症、裂傷、神経が圧迫された状態、気胸、肋骨骨折、坐骨神経痛、脊髄損傷、腱、靭帯、筋膜の創傷、外傷性脳損傷、およびむち打ち症を含む。
【０１１２】
別の局面において、本明細書において、未知のタンパク質の試料中の候補タンパク質を同定するための、コンピューターによって遂行される方法が開示される。方法は、試料中の未知のタンパク質に対する複数の親和性試薬プローブのそれぞれについての結合測定の情報を、コンピューターによって受信する工程を含み得る。親和性試薬プローブは、kマーの親和性試薬プローブであり得る。いくつかの態様において、kマーの親和性試薬プローブそれぞれは、複数の候補タンパク質の中の1つまたは複数の候補タンパク質に選択的に結合するように設定される。結合測定の情報は、未知のタンパク質に結合したと考えられるプローブのセットを含み得る。
【０１１３】
次に、結合測定の情報の少なくとも一部分が、複数のタンパク質配列を含むデータベースに対して、コンピューターによって比較され得る。タンパク質配列のそれぞれは、複数の候補タンパク質の中の1つの候補タンパク質に対応し得る。複数の候補タンパク質は、少なくとも10個、少なくとも20個、少なくとも30個、少なくとも40個、少なくとも50個、少なくとも60個、少なくとも70個、少なくとも80個、少なくとも90個、少なくとも100個、少なくとも150個、少なくとも200個、少なくとも250個、少なくとも300個、少なくとも350個、少なくとも400個、少なくとも450個、少なくとも500個、少なくとも600個、少なくとも700個、少なくとも800個、少なくとも900個、少なくとも1000個、または1000個超の、異なる候補タンパク質を含んでよい。
【０１１４】
次に、複数の候補タンパク質からの1つまたは複数の候補タンパク質が、さらなる検討（たとえば、その後に続く計算、反復、算定、または確率の生成）から、除去され得る。複数の候補タンパク質からの、1つまたは複数の候補タンパク質の除去は、結合測定の情報の、複数のタンパク質配列を含むデータベースに対する比較に、少なくとも基づき得る。
【０１１５】
いくつかの態様において、1つまたは複数の候補タンパク質の除去は、候補タンパク質に関連する結合測定の所定の基準に少なくとも基づいている。いくつかの態様において、所定の基準は、複数の親和性試薬プローブの中の第一の複数への、所定の閾値を下回る結合測定を有する、1つまたは複数の候補タンパク質を、含む。いくつかの態様において、候補タンパク質は、たとえば、k個のプローブの結合が測定された後で、そのP(タンパク質 i | プローブ [1..k])が0.01未満、0.001未満、0.0001未満、0.00001未満、0.000001未満、または0.0000001未満である場合に、検討から除外され得る。タンパク質はまた、それが試料から、実験上除去された場合にも、検討から除外され得る。
【０１１６】
いくつかの態様において、複数の親和性試薬プローブは、10個以下、20個以下、30個以下、40個以下、50個以下、60個以下、70個以下、80個以下、90個以下、100個以下、150個以下、200個以下、250個以下、300個以下、350個以下、400個以下、450個以下、500個以下、または500個超の、親和性試薬プローブを含む。
【０１１７】
いくつかの態様において、それに関する結合測定が実施される親和性試薬プローブは、測定を実施する前に、完全に決定される。いくつかの態様において、それに関する結合測定が実施されるべき親和性試薬プローブのセットまたは順は、その時までに入手された結合測定の、反復されるコンピューターによる分析に基づいて、実験中に改変されるかまたは導き出される。たとえば、親和性プローブの順番付けは、未同定の未知のタンパク質について明確な同定を生成する可能性がより高いプローブを用いる結合実験を優先させるように、反復して最適化され得る。そのような最適化は、その時まで未同定の未知のタンパク質に関して最上位の2つの、最上位の3つの、最上位の4つの、最上位の5つの、または最上位の5つ超の候補タンパク質配列を、区別するプローブを選択することに、基づき得る。
【０１１８】
いくつかの態様において、方法は、試料中の1つまたは複数の未知のタンパク質を同定する紙のまたは電子的なレポートを生成する工程をさらに含む。紙のまたは電子的なレポートは、候補タンパク質のそれぞれに関して、候補タンパク質が試料中に存在することの信頼水準を、さらに示し得る。信頼水準は、確率値を含み得る。あるいは、信頼水準は、誤りを有する確率値を、含み得る。あるいは、信頼水準は、ある信頼度（たとえば、90%の、95%の、96%の、97%の、98%の、99%の信頼度）を任意で有する、ある範囲の確率値を、含み得る。いくつかの態様において、試料は、生物学的試料を含む。生物学的試料は、対象から得られてよい。いくつかの態様において、方法は、複数の確率に少なくとも基づいて、対象における疾患の状態または障害を同定する工程をさらに含む。
【０１１９】
疾患または障害は、感染性疾患、免疫障害もしくは免疫疾患、がん、遺伝性疾患、変性疾患、生活習慣病、創傷、希少疾患、または加齢に関する疾患であり得る。感染性疾患は、細菌、ウイルス、菌類、および／または寄生生物によって引き起こされ得る。がんの非限定的な例は、膀胱がん、肺がん、脳のがん、黒色腫、乳がん、非ホジキンリンパ腫、子宮頸がん、卵巣がん、結腸、直腸のがん、膵臓がん、食道がん、前立腺がん、腎臓がん、皮膚がん、白血病、甲状腺がん、肝臓がん、および子宮がんを含む。遺伝性疾患または遺伝性障害のいくつかの例は、限定されるものではないが、嚢胞性線維症、シャルコー・マリー・トゥース病、ハンチントン病、ポイツ・ジェガース症候群、ダウン症候群、関節リウマチ、およびテイ・サックス病を含む。生活習慣病の非限定的な例は、肥満、糖尿病、動脈硬化症、心臓病、脳卒中、高血圧、肝硬変、腎炎、がん、慢性閉塞性肺疾患（copd）、聴覚の問題、および慢性背痛を含む。創傷のいくつかの例は、限定されるものではないが、擦過傷、脳損傷、挫傷、火傷、震とう症、うっ血性心不全、建築現場での傷害、脱臼、動揺胸、骨折、血胸、椎間板ヘルニア、ヒップポインター、低体温症、裂傷、神経が圧迫された状態、気胸、肋骨骨折、坐骨神経痛、脊髄損傷、腱、靭帯、筋膜の損傷、外傷性脳損傷、およびむち打ち症を含む。
【０１２０】
いくつかの態様において、方法は、タンパク質ではなく小分子（たとえば代謝物）またはグリカンを、同定する、および定量する工程を含む。たとえば、多様な性質を有して糖もしくは糖の組み合わせに結合する、レクチンまたは抗体などの親和性試薬が、グリカンを同定するために使用されてよい。さまざまな糖または糖の組み合わせに結合する親和性試薬の性質は、市販のグリカンアレイへの結合を分析することによって、特徴付けされ得る。未知のグリカンは、ヒドロキシル基反応性の化学反応を用いて、機能化された基材にコンジュゲートされ得、そして結合測定は、グリカンに結合する親和性試薬を用いて入手され得る。基材上の未知のグリカンへの、親和性試薬の結合測定は、特定の糖を有する、または糖の特定の組み合わせを有するグリカンの数を直接的に定量するために、使用され得る。あるいは、未知のグリカンそれぞれの構造を同定するために、1つまたは複数の結合測定は、本明細書において記載される推定アルゴリズムを用いて、候補グリカン構造のデータベースから予測された結合測定と、比較され得る。いくつかの態様において、タンパク質が基材に結合され、そして、グリカン親和性試薬を用いる結合測定が、タンパク質に結合したグリカンを同定するために生成される。さらに、結合測定は、タンパク質バックボーン配列およびコンジュゲートされたグリカンの同定を単一の実験で生成するために、グリカン親和性試薬およびタンパク質親和性試薬の両方を用いてなされ得る。別の例として、スルフヒドリル、カルボニル、アミン、または活性水素などの、代謝物中に一般的に見出されるカップリング基を標的とする化学反応を用いて機能化された基材に、代謝物がコンジュゲートされ得る。結合測定は、特定の官能基、構造モチーフ、または代謝物に対し、異なる性質を有する親和性試薬を用いてなされてよい。結果としてもたらされる結合測定は、候補小分子のデータベースについて予測された結合測定と、比較され得、そして本明細書において記載される推定アプローチが、基材上の各位置における代謝物を同定するために、使用され得る。
【０１２１】
コンピューター制御システム
本開示は、本開示の方法を遂行するためにプログラムされたコンピューターシステムを提供する。図2は、コンピューターシステム201を示し、これは：試料中の未知のタンパク質への、親和性試薬プローブの結合測定の情報を受信するように、結合測定の情報を、候補タンパク質に対応する複数のタンパク質配列を含むデータベースに対して比較するように、および／もしくは候補タンパク質が試料中に存在する確率を反復して生成するように、プログラムされているか、または別の状況では、そうするように設定されている。
【０１２２】
コンピューターシステム201は、たとえば、試料中の未知のタンパク質への、親和性試薬プローブの結合測定の情報を受信する工程、結合測定の情報を、候補タンパク質に対応する複数のタンパク質配列を含むデータベースに対して比較する工程、および／または候補タンパク質が試料中に存在する確率を反復して生成する工程などの、本開示の方法ならびにシステムのさまざまな局面を制御することができる。
【０１２３】
コンピューターシステム201は、ユーザーの電子装置、または電子装置に対して遠隔に位置するコンピューターシステムであり得る。電子装置は携帯型電子装置であり得る。コンピューターシステム201は中央処理装置（CPU、同じく本明細書における「プロセッサ」および「コンピュータープロセッサ」）205を含み、これはシングルコアもしくはマルチコアプロセッサ、または並列処理のための複数のプロセッサであり得る。コンピューターシステム201はまた、メモリーまたはメモリーロケーション210（たとえばランダムアクセスメモリー、読み出し専用メモリー、フラッシュメモリー）、電子ストレージユニット215（たとえばハードディスク）、1つまたは複数の他のシステムとの通信のための通信インターフェース220（たとえばネットワークアダプター）、ならびにキャッシュ、他のメモリー、データストレージおよび／もしくは電子ディスプレイアダプターなどの周辺装置225を含む。メモリー210、ストレージユニット215、インターフェース220、および周辺装置225は、マザーボードなどの通信バス（実線）を経由して、CPU 205と通信する。ストレージユニット215は、データを記憶するためのデータストレージユニット（またはデータレポジトリ）であり得る。コンピューターシステム201は、通信インターフェース220の補助を受けて、コンピューターネットワーク（「ネットワーク」）230に機能的に連結され得る。ネットワーク230は、インターネット（the Internet）、インターネット（an internet）および／もしくはエクストラネット、またはインターネット（the Internet）と通信するイントラネットおよび／もしくはエクストラネットであり得る。ネットワーク230は、いくつかの場合において、電気通信および／またはデータネットワークである。ネットワーク230は、クラウドコンピューティングなどの分散コンピューティングを可能にし得る1つまたは複数のコンピューターサーバーを含み得る。ネットワーク230は、いくつかの場合において、コンピューターシステム201の補助を受けて、コンピューターシステム201に連結される装置がクライアントまたはサーバーとして機能することを可能にし得るピアトゥピアネットワークを実装し得る。  
【０１２４】
CPU 205は、プログラムまたはソフトウェアの形で具現化され得る、機械で読み取り可能な指示のシーケンスを実行することができる。指示は、メモリー210などのメモリーロケーションにおいて記憶されてよい。指示はCPU 205に向けられ得、これは次いで、本開示の方法を遂行するために、CPU 205をプログラムし得るまたは他の方法で設定し得る。CPU 205により実施される作業の例は、フェッチ、デコード、実行、およびライトバックを含み得る。
【０１２５】
CPU 205は、集積回路などの回路の一部であり得る。システム201の1つまたは複数の他の構成要素は、該回路に含まれ得る。いくつかの場合において、該回路は特定用途向け集積回路（ASIC）である。
【０１２６】
ストレージユニット215は、ドライバー、ライブラリー、および保存されたプログラムなどのファイルを記憶可能である。ストレージユニット215は、たとえば、ユーザープリファレンスおよびユーザープログラムといったユーザーデータを記憶可能である。コンピューターシステム201は、いくつかの場合において、イントラネットまたはインターネット（the Internet）を経由してコンピューターシステム201と通信する遠隔のサーバーに位置するものなどの、コンピューターシステム201の外部の、1つまたは複数の追加のデータストレージユニットを含み得る。
【０１２７】
コンピューターシステム201は、ネットワーク230を経由して、1つまたは複数の遠隔のコンピューターシステムと通信可能である。たとえば、コンピューターシステム201は、ユーザーの遠隔のコンピューターシステムと通信可能である。遠隔のコンピューターシステムの例は、パーソナルコンピューター（たとえば携帯型PC）、スレート型もしくはタブレット型PC（たとえばApple（登録商標）iPad、Samsung（登録商標）Galaxy Tab）、電話機、スマートフォン（たとえばApple（登録商標）iPhone、Androidが作動可能な装置、Blackberry（登録商標））、またはパーソナルデジタルアシスタントを含む。ユーザーは、ネットワーク230を介してコンピューターシステム201にアクセス可能である。
【０１２８】
本明細書において記載されるような方法は、たとえばメモリー210上または電子ストレージユニット215上などのコンピューターシステム201の電子ストレージロケーション上に記憶された、機械（たとえばコンピュータープロセッサ）で実行可能なコードによって、遂行され得る。機械で実行可能なまたは機械で読み取り可能なコードは、ソフトウェアの形で提供され得る。使用の間に、コードはプロセッサ205によって実行され得る。いくつかの場合において、コードはストレージユニット215から引き出され得、そしてプロセッサ205の速やかなアクセスのためにメモリー210に記憶され得る。いくつかの状況においては、電子ストレージユニット215は除外され得、かつ機械で実行可能な指示はメモリー210に記憶される。
【０１２９】
コードはプリコンパイルされ得、かつコードを実行するために適合されたプロセッサを有する機械での使用のために設定され得るか、または実行時の最中にコンパイルされ得る。コードは、プリコンパイルされる様式または実行時にコンパイルされる（as-compiled）様式でコードを実行することを可能にするように選択され得るプログラミング言語で供給され得る。
【０１３０】
コンピューターシステム201などの、本明細書において提供されるシステムおよび方法の局面は、プログラミングの形で具現化され得る。技術のさまざまな局面が、機械で読み取り可能な媒体の一種類で運ばれるもしくは具現化される、典型的には機械（もしくはプロセッサ）で実行可能なコードおよび／もしくは関連付けられるデータの形である「物品」または「製品」として、みなされてよい。機械で実行可能なコードは、メモリー（たとえば読み出し専用メモリー、ランダムアクセスメモリー、フラッシュメモリー）またはハードディスクのような、電子ストレージユニット上に記憶され得る。「ストレージ」タイプの媒体は、コンピューター、プロセッサ、もしくは同様のものの有形メモリー、もしくはさまざまな半導体メモリー、テープドライブ、ディスクドライブおよび同様のものなどの関連するそのモジュールの、任意のものまたはすべてを含み得、これらはソフトウェアプログラミングの際にいつでも非一過性ストレージを提供し得る。ソフトウェアのすべてまたは一部分は、インターネット（the Internet）またはさまざまな他の電気通信ネットワークを経由して、時々通信してよい。そのような通信は、たとえば、1つのコンピューターまたはプロセッサから別のものへ、たとえば、マネージメントサーバーまたはホストコンピューターからアプリケーションサーバーのコンピュータープラットフォームへ、ソフトウェアを読み込ませることを可能にし得る。したがって、ソフトウェア要素を運び得る別の種類の媒体は、ローカル装置間の物理的なインターフェースを通過して使用されるもの、有線のおよび光学の固定電話ネットワークを経由して使用されるもの、ならびにさまざまなエアリンクを通じて使用されるものなどの、光波、電波、ならびに電磁波を含む。有線もしくは無線リンク、光学リンク、または同様のものなどの、そのような波を運ぶ物理的な要素もまた、ソフトウェアを運ぶ媒体としてみなされてよい。本明細書において使用されるように、非一過性で有形の「ストレージ」媒体に限定されない限り、コンピューターでまたは機械で「読み取り可能な媒体」などの語は、実行のためのプロセッサへの指示の提供に関与する、任意の媒体を指す。
【０１３１】
したがって、コンピューターで実行可能なコードなどの機械で読み取り可能な媒体は、限定するものではないが、有形のストレージ媒体、搬送波媒体、または物理的な伝達媒体を含む、多くの形をとり得る。不揮発性のストレージ媒体は、たとえば、任意のコンピューターまたは同様のものにおける任意のストレージ装置などや、図面において示されるデータベース等を実装するために使用され得るものなどの、光学もしくは磁気ディスクを含む。揮発性ストレージ媒体は、コンピュータープラットフォーム等のメインメモリーなどの、ダイナミックメモリーを含む。有形の伝達媒体は、コンピューターシステム中のバスを含む配線を含む、同軸ケーブル；銅線、および光ファイバーを含む。搬送波伝達媒体は、電気信号もしくは電磁信号の形、または無線周波（RF）での、および赤外線での（IR）データ通信の間に生成されるものなどの、音波もしくは光波の形をとってよい。コンピューターで読み取り可能な媒体の一般的な形態は、したがって、たとえば以下を含む：フロッピーディスク、フレキシブルディスク、ハードディスク、磁気テープ、任意の他の磁気媒体、CD-ROM、DVDもしくはDVD-ROM、任意の他の光学媒体、パンチカード紙テープ、穿孔のパターンを有する任意の他の物理的なストレージ媒体、RAM、ROM、PROMおよびEPROM、FLASH-EPROM、任意の他のメモリーチップもしくはカートリッジ、データもしくは指示を運ぶ搬送波、そのような搬送波を運ぶケーブルもしくはリンク、またはコンピューターが読み込み得るプログラミングコードおよび／もしくはデータからの、任意の他の媒体。コンピューターで読み取り可能な媒体のこれらの形態の多くが、実行のためにプロセッサへ1つまたは複数の指示の1つまたは複数のシーケンスを運ぶことに関与し得る。
【０１３２】
コンピューターシステム201は、たとえば、アルゴリズム、結合測定データ、候補タンパク質、およびデータベースのユーザー選択を提供するためのユーザーインターフェース（UI）240を含む電子ディスプレイ235を、含むことができる、またはこれと通信することができる。UIの例は、限定するものではないが、グラフィカルユーザーインターフェース（GUI）およびウェブベースのユーザーインターフェースを含む。
【０１３３】
本開示の方法およびシステムは、1つまたは複数のアルゴリズムによって遂行され得る。アルゴリズムは、中央処理装置205による実行に際し、ソフトウェアによって遂行され得る。アルゴリズムは、たとえば、試料中の未知のタンパク質への、親和性試薬プローブの結合測定の情報を受信することができ、結合測定の情報を、候補タンパク質に対応する複数のタンパク質配列を含むデータベースに対して比較することができ、および／または候補タンパク質が試料中に存在する確率を反復して生成することができる。
【実施例】
【０１３４】
実施例1−候補タンパク質6個のデータベースを用いるタンパク質同定
データベースが長さ：{276, 275, 151, 437, 244, 644}の候補タンパク質6個を含む状況を、検討する。加えて実験は、所与の三量体への結合の25%の尤度をそのそれぞれが有する、5個のプローブを用いて実施する。これらの試薬が結合する他の三量体は、データベース中のいかなるタンパク質にも見出されない。
【０１３５】
ヒットテーブルが、データベース中の各配列に対するプローブに関して構築される。
（行 = プローブ#1〜#5、列 = SEQ ID 1〜6）
2021501332.tif 000004
【０１３６】
とりわけ、この情報は徐々に到着するので、したがって反復して計算されてよい。以下に示されるように、ヒットテーブルから、P(タンパク質_i | プローブ_j)が、確率マトリックスを生成するために評価される。所与のエントリーに関して、ヒットテーブル >= 1であるならば、P_着地_プローブ_n = 真の着地率 = 0.25が使用され；そうではなくヒットテーブル = 0であれば、P(検出器の誤り) = 0.0001が使用されることに、注意されたい。
2021501332.tif 000005
【０１３７】
多くのセルが0.0001の確率を含むことに注意されたい。この小さい確率は、検出器の誤りが原因である可能性がある。
【０１３８】
最初に、正規化されていない、タンパク質の確率が、各候補タンパク質について、確率の積として算定される：
2021501332.tif 000006
【０１３９】
次に、長さの正規化が計算され、これは、いくつかの数のプローブが、所与のタンパク質に着地する様式の数を、タンパク質の長さの関数として表す。長さの正規化は、Choose(Len_i, n)との語として表される。たとえば、第一のタンパク質は、[276 choose 5]の長さの正規化を有し、かつ第二のタンパク質は、[275 choose 5]の長さの正規化を有する。いくつかの態様において、長さの正規化は、Len_i! / (len_i! - n!)として算定される順列の数として算定され得、ここで演算!は階乗を示す。
2021501332.tif 000007
【０１４０】
次に、上記からの積（ProductP）は、この長さ補正を考慮に入れるために、長さの正規化で割ることによって正規化され、これを以下に示す：
2021501332.tif 000008
【０１４１】
次に、データベース全体にわたる確率のセット全体が合計されて1になるように、確率が正規化される。これは、LenNormP値が1.53E-13になるよう合計し、そしてその後、最終的な釣り合った確率を達成するために、この正規化によってLenNormPのそれぞれを割ることによって、達成される：
2021501332.tif 000009
【０１４２】
タンパク質のうち4つは極度に可能性が低い一方で、タンパク質1および2の区別を明確にすることは多少難しいことに、注目されたい。データベースから見て、これは、タンパク質1と2との間に、点欠失1つの差異だけがあるためと予想される。また、タンパク質1および2はそれぞれ50%の確率を分け合い、一方でタンパク質3〜6は本質的にゼロの確率を有することにも、注目されたい。
【０１４３】
実験上の技術において、プローブは連続して検出される；したがって、この関数を反復して計算することが望ましい。これを達成するための、複数の異なる手法が存在しており、その一例が以下に示される。
【０１４４】
実施例2−抗体の混合物を用いる、タンパク質同定
開示される態様と一致して、1,000個の未知のヒトタンパク質の同定を、Santa Cruz Biotechnology社のカタログからの市販の抗体のプールを用いる結合測定を入手することによって、ベンチマークテストとして実施した。1,000個の未知のタンパク質が、約21,005個のタンパク質を含むUniprotタンパク質データベースから、無作為に選択された。ヒトタンパク質に対して反応性を有する、Santa Cruz Biotechnology社のカタログから利用可能なモノクローナル抗体のリストが、オンライン抗体レジストリからダウンロードされた。このリストは22,301個の抗体を含んでいた、そして、Uniprotヒトタンパク質データベース中のタンパク質に整合した14,566個の抗体のリストへと、フィルタリングされた。本実験においてモデル化された抗体の完全な集団は、これらの14,566個の抗体を含んでいた。1,000個の未知のタンパク質候補への抗体混合物の結合の、実験による評価は、以下のように実施された。
【０１４５】
最初に、抗体の混合物50個が、モデル化された。いずれの混合物1つを作製するのにも、抗体の総集団からの5,000個の抗体が、無作為に選択された。
【０１４６】
次に各混合物に関して、結合確率が、未知のタンパク質のいずれかに対する混合物について決定された。タンパク質は、ゴールがそれらのアイデンティティを推定することであるという意味で「未知」であるが、アルゴリズムは「未知のタンパク質」それぞれの真のアイデンティティを承知している点に、注意されたい。混合物が、未知のタンパク質に対する抗体を含む場合、0.99の結合確率が割り当てられた。混合物が、未知のタンパク質に対する抗体を含まない場合、0.0488の結合確率が割り当てられた。
【０１４７】
混合物についての非特異的結合の確率は、任意の個々の抗体が、その標的以外のタンパク質に結合する、予想される確率、および混合物中のタンパク質の数に基づいて、モデル化された。この実験による評価に関して、個々の抗体がその標的タンパク質以外の何かに結合するという非特異的結合イベントに、0.00001（1E-5）の確率があるとみなされた。抗体の混合物についての非特異的結合イベントの確率は、混合物中の任意の1つの抗体が非特異的に結合する確率である。この確率は、1から、混合物中の5000個すべての抗体が非特異的に結合しない確率を差し引いたもの、つまり 1 - (1 - 1e-5)^1000 = 0.0488 として、算定された。
【０１４８】
各未知のタンパク質に関して、結合が、未知のタンパク質への抗体混合物の結合確率に基づいて、測定された抗体混合物それぞれについて評価された。0の最小値および1の最大値を有する一様分布が無作為にサンプリングされ、そして、結果としてもたらされる数が、未知のタンパク質への抗体混合物の結合確率未満であれば、実験は該混合物について、結合イベントをもたらした。そうでなければ、実験は該混合物について、非結合イベントをもたらした。評価されるすべての結合イベントを用いて、タンパク質推定は以下のように実施される。
【０１４９】
各未知のタンパク質に関して、一連の評価された結合イベント（全50個、混合物1個につき1個）は、Uniprotデータベース中の、21,005個のタンパク質候補のそれぞれに対して評価された。より具体的には、一連の結合イベントを観測する確率が、各候補に関して算定された。確率は、測定されたすべての50個の混合物にわたる、個々の混合物それぞれの結合イベント／非結合イベントの確率を掛けることによって、算定された。結合確率は、上述したのと同じ様式で算定され、かつ非結合の確率は、1から結合確率を差し引いたものである。最大の結合確率を有するタンパク質クエリー候補が、未知のタンパク質について推定されるアイデンティティである。該個々のタンパク質に関して同定が正確である確率は、すべての候補の合計された確率で割った、最上位の個々の候補の確率として、算定された。
【０１５０】
1,000個の未知のタンパク質のそれぞれについて推定されるアイデンティティを用いて、未知のタンパク質は、それらの同定の確率の降順で並べ替えられた。同定の確率のカットオフは、リスト中で先行するすべての同定の中の不正確な同定のパーセンテージが1%であるように、選択された。全体として、1,000個の未知のタンパク質のうち551個が、1%の不正確な同定率で同定された。
【０１５１】
実施例3：結合測定アウトカムを用いるタンパク質同定
本明細書において記載される方法は、未同定のタンパク質への親和性試薬の結合および／または非結合に関連するデータの、異なるサブセットに適用され得る。いくつかの態様において、本明細書において記載される方法は、測定された結合アウトカムのうちの特定のサブセットが検討されない（たとえば非結合測定アウトカム）実験に適用され得る。測定された結合アウトカムのうちのあるサブセットが検討されないこれらの方法は、本明細書において、「打ち切り」の推定アプローチ（たとえば実施例1に記載されるようなアプローチ）と称され得る。図3に記載される結果において、打ち切りの推定アプローチの結果として得られるタンパク質同定は、特定の未同定のタンパク質に関連する結合イベントの発生を評価することに基づいている。したがって、打ち切りの推定アプローチは、未知のタンパク質のアイデンティティを決定する際に、非結合アウトカムを検討しない。
【０１５２】
このタイプの打ち切りの推定アプローチは、得られるすべての結合アウトカムが検討される（たとえば、特定の未同定のタンパク質に関連する、結合測定アウトカムおよび非結合測定アウトカムの両方）、「非打ち切り」のアプローチとは、対照をなす。いくつかの態様において、特定の結合測定もしくは結合測定アウトカムが、より誤りを生じやすいものであると予想される、またはタンパク質について予想される結合測定アウトカム（たとえば、タンパク質によって該結合測定アウトカムが生成される確率）から逸脱する可能性があると予想される場合に、打ち切りのアプローチは、適用可能であり得る。たとえば、親和性試薬の結合実験において、結合測定アウトカムの、および非結合測定アウトカムの確率が、大部分が直線構造を有する変性したタンパク質への結合に基づいて、算定され得る。これらの条件において、エピトープは、親和性試薬に容易に接近可能であり得る。しかしながら、いくつかの態様において、アッセイされたタンパク質試料における結合測定は、非変性条件下または部分的な変性条件下で収集され得、該条件下ではタンパク質は、著しい3次元構造を有する「折りたたまれた」状態で存在し、これは多くの場合において、親和性試薬が結合する、直線型では接近可能であるタンパク質上のエピトープを、折りたたまれた状態においては立体障害（steric hinderance）のために接近不可能にさせ得る。たとえば、あるタンパク質に関して、親和性試薬が認識するエピトープが、折りたたまれたタンパク質の、構造的に接近可能な領域にある場合、未知の試料において入手される、実験による結合測定は、直線化されたタンパク質に由来する結合の算定された確率と、一致することが予想され得る。しかしながら、たとえば、親和性試薬によって認識されるエピトープが、構造上接近不可能である場合、直線化されたタンパク質に由来する結合の算定された確率から予想されるよりも多い、非結合アウトカムが存在することが予想され得る。さらに、タンパク質の周囲の特定の条件に基づいて、3次元構造が、いくつかの可能性のある異なる立体配置で形成され得、かつ、可能性のある異なる立体配置のそれぞれは、所望の親和性試薬の接近可能性の程度に基づいて、特定の親和性試薬への結合に関して独特な予想を有し得る。
【０１５３】
したがって、非結合アウトカムは、各タンパク質に関して算定された結合確率から逸脱することが予想され得、かつ、結合アウトカムを検討するのみである、打ち切りの推定アプローチが、適切であり得る。図3に提供されるような「打ち切り」の推定アプローチにおいては、測定された結合アウトカムのみが検討され（言い換えると、非結合アウトカムが測定されないか、または測定された非結合アウトカムが検討されないのいずれか）、したがって、結合測定をもたらした、M個の測定された結合アウトカム、これは、結合測定アウトカムおよび非結合測定アウトカムの両方を含む、N個の全部の測定された結合アウトカムのうちのサブセットであるが、これのみを、結合アウトカムセットの確率は考慮する。これは、以下の表現によって記述され得る：
P(アウトカムセット | タンパク質) = P(結合イベント1 | タンパク質) * P(結合イベント2 | タンパク質) * … * P(結合イベントM | タンパク質)
【０１５４】
打ち切りのアプローチを適用する場合、偏りを補正するために、スケール因子をP(結合アウトカムセット | タンパク質)に適用することが適切であり得る。たとえば、より長いタンパク質は、概して、潜在的な結合アウトカムを生成する、より高い確率を有する（たとえばそれらは、潜在的な結合部位をより多くを含むため）。この偏りを補正するために、スケール変換された尤度SLが、P(結合アウトカムセット | タンパク質)を、M箇所の結合部位の独特な組み合わせの数、これはタンパク質上の潜在的な結合部位の数に基づいて、タンパク質から生成されることができるものであるが、これで割ることによって、各候補タンパク質について算定され得る。三量体認識部位を有する、長さLであるタンパク質に関して、L-2個の潜在的な結合部位が存在し得（たとえば、完全なタンパク質配列の、可能性のある長さLの部分配列ごとに）、したがって以下のとおりとなる：
2021501332.tif 000010
【０１５５】
可能性のある候補タンパク質Q個の集団から選択される任意の候補タンパク質の確率は、アウトカムセットが与えられるとき、以下のように表され得る：
2021501332.tif 000011
【０１５６】
打ち切りのタンパク質推定アプローチ  対  非打ち切りのタンパク質推定アプローチの態様の性能は、図3にプロットされる。図3にプロットされるデータは、表1に提供される。
【０１５７】
（表１）
2021501332.tif 000012
【０１５８】
図3に示される比較において、タンパク質同定の感度（たとえば、同定される独特なタンパク質のパーセント）が、直線状のタンパク質基材において使用された打ち切りの推定および非打ち切りの推定の両方について、測定された親和性試薬群の数に対してプロットされる。使用される親和性試薬は、プロテオーム中で最上位の最も豊富な三量体を標的としており、かつ各親和性試薬は、追加の無作為な三量体4つに対してオフターゲット親和性を有する。100個の親和性試薬群が使用される場合に、非打ち切りのアプローチは、10倍超の差で、打ち切りのアプローチよりも性能が優れている。非打ち切りの推定が打ち切りの推定よりも性能が優れている度合いは、より多い群が使用される場合に、減少する。
【０１５９】
実施例4：無作為な偽陰性のおよび偽陽性の親和性試薬の結合に対する、タンパク質同定の許容性
いくつかの場合において、親和性試薬結合に関して、偽陰性の結合測定アウトカムが多発することが起こり得る。「偽陰性」の結合アウトカムは、予想されるよりも少ない頻度で生じる親和性試薬結合測定として現れる。そのような「偽陰性」のアウトカムは、たとえば、結合検出方法、結合条件（たとえば、温度、緩衝液組成物等）、タンパク質試料の劣化、または親和性試薬ストックの劣化の問題のために生じ得る。打ち切りのタンパク質同定アプローチおよび非打ち切りのタンパク質同定アプローチにおける、偽陰性測定の影響を決定するため、親和性試薬測定群のサブセットは、10個のうち1個、100個のうち1個、1,000個のうち1個、10,000個のうち1個、または100,000個のうち1個のいずれかの、無作為な、観測された結合イベントを、非結合イベントへとインシリコで交換することによって、意図的に劣化させた。全300個の親和性試薬群のうち、0個、1個、50個、100個、200個、または300個のいずれかを、この様式で劣化させた。図4にプロットされる結果によって示されるように、打ち切りのタンパク質同定アプローチおよび非打ち切りのタンパク質同定アプローチの両方とも、このタイプの無作為な偽陰性の結合を許容する。図4にプロットされるデータは、表2に提供される。
【０１６０】
（表２）
2021501332.tif 000013
2021501332.tif 000014
【０１６１】
同様に、「偽陽性」の結合アウトカムへの許容性が、結合アウトカムのサブセットを、非結合アウトカムから結合アウトカムへと交換することによって、評価された。この評価の結果は、表3に提供される。
【０１６２】
（表３）
2021501332.tif 000015
2021501332.tif 000016
2021501332.tif 000017
【０１６３】
図5にプロットされるこれらの結果は、無作為な偽陽性測定の発生が増加すると、打ち切りのタンパク質同定アプローチの性能は、非打ち切りのタンパク質同定アプローチよりも急速に悪化することを示す。しかしながら、両方のアプローチは、親和性試薬群ごとに1000個のうち1個の偽陽性率、または親和性試薬群のサブセットにおいて100個のうち1個の割合を、許容する。
【０１６４】
実施例5：過大に推測されたまたは過小に推測された親和性試薬結合確率を用いるタンパク質推定の性能
タンパク質同定の感度は、三量体への親和性試薬の、正確に推測された結合確率、および過大に推測されたまたは過小に推測された結合確率を用いるタンパク質同定を用いて、評価された。真の結合確率は、0.25であった。過小に推測された結合確率は：0.05、0.1、および0.2であった。過大に推測された結合確率は、0.30、0.50、0.75、および0.90であった。全部で300個の親和性試薬測定の群が入手された。親和性試薬のうち、無し（0個）、300個すべて、またはサブセット（1個、50個、100個、200個）は、過大に推測された、または過小に推測された結合確率を適用された。他のすべては、タンパク質同定において、正確な結合確率（0.25）が使用された。分析の結果は、表4に提供される。
【０１６５】
（表４）
2021501332.tif 000018
2021501332.tif 000019
2021501332.tif 000020
【０１６６】
図6にプロットされるこれらの結果は、結合確率が正確に推測されない可能性があるいくつかの場合において、打ち切りのタンパク質同定が好ましいアプローチであり得ることを示す。
【０１６７】
実施例6：未知の結合エピトープを有する親和性試薬を用いるタンパク質推定アプローチの性能
いくつかの場合において、親和性試薬は、いくつかの未知の結合部位を有し得る。親和性試薬結合測定を用いる、打ち切りのタンパク質同定アプローチおよび非打ち切りのタンパク質同定アプローチの感度は、5つの三量体部位（たとえば、1つの標的三量体、および4つの無作為なオフターゲット部位）に、タンパク質同定アルゴリズムに入力される0.25の確率でそれぞれ結合する親和性試薬を用いて、比較された。親和性試薬のサブセット（300個のうち0個、300個のうち1個、300個のうち50個、300個のうち100個、300個のうち200個、もしくは300個のうち300個）は、1個、4個、または40個のいずれかの、追加の余分な結合部位を有しており、該部位はそれぞれ、無作為な三量体に対して0.05、0.1、または0.25の結合確率を有していた。分析の結果は、表5に示される。
【０１６８】
（表５）
2021501332.tif 000021
2021501332.tif 000022
2021501332.tif 000023
【０１６９】
図7にプロットされるこれらの結果は、非打ち切りの推定は、追加の隠された結合部位を包含させることへの許容性がより高いこと、および両方の推定アプローチの性能は、300個の親和性試薬のうち50個が、40個の追加の結合部位を含む場合に、有意に損なわれることを示す。
【０１７０】
実施例7：結合エピトープを欠く親和性試薬を用いるタンパク質推定アプローチの性能
いくつかの場合において、存在していない、アノテーションされたいくつかの結合エピトープ（たとえば、余分な予想される結合部位）を用いて、不適切に特徴付けされている親和性試薬が、存在し得る。つまり、親和性試薬に関して予想される結合確率を生成するために使用されるモデルは、存在しない、余分な予想される部位を含む。親和性試薬結合測定を用いる、打ち切りのタンパク質同定アプローチおよび非打ち切りのタンパク質同定アプローチの感度は、無作為な三量体部位（たとえば、1つの標的三量体、および4つの無作為なオフターゲット部位）に、タンパク質同定アルゴリズムに入力される0.25の確率でそれぞれ結合する親和性試薬を用いて、比較された。親和性試薬のサブセット（300個のうち0個、300個のうち1個、300個のうち50個、300個のうち100個、300個のうち200個、もしくは300個のうち300個）は、1個、4個、または40個のいずれかの、余分な予想される結合部位を有しており、該部位はそれぞれ、無作為な三量体に対して結合確率0.05、0.1、または0.25を有し、タンパク質推定アルゴリズムによって使用される親和性試薬についてのモデルに追加された。分析の結果は、表6に示される。
【０１７１】
（表６）
2021501332.tif 000024
2021501332.tif 000025
2021501332.tif 000026
2021501332.tif 000027
【０１７２】
図8にプロットされるこれらの結果は、非打ち切りの推定は、親和性試薬結合のモデルに含まれる余分な予想される結合部位を包含させることへの許容性がより高いこと、および両方のタンパク質同定アプローチの性能は、親和性試薬の大部分が、40個の余分な予想される結合部位を含む場合に、ある程度損なわれることを示す。
【０１７３】
実施例8：別のスケール変換戦略を用いる、親和性試薬結合分析のための打ち切りの推定
本明細書において記載される方法は、確率のさまざまなスケール変換戦略との組み合わせで親和性試薬結合測定を用いる、タンパク質のアイデンティティの推定（たとえば未知のタンパク質の同定）に、適用され得る。実施例3に記載される打ち切りの推定アプローチは、タンパク質における潜在的な結合部位の数（タンパク質の長さ - 2）、および観測された結合アウトカムの数（M）に基づき、タンパク質に関する観測されたアウトカムの確率をスケール変換する：
2021501332.tif 000028
【０１７４】
本明細書において記載される方法は、スケール変換された尤度を計算するための別のアプローチに、適用され得る。この例は、タンパク質を測定するために使用される親和性試薬のセットから、長さkのタンパク質に関してN個の結合イベントを生成する確率をモデル化し、そしてこの確率に基づいてスケール変換する、正規化のための別のアプローチを、適用する。最初に、各プローブに関して、プローブが、試料中の未知のアイデンティティの三量体に結合する確率が、算定される：
2021501332.tif 000029
ここで、P（三量体j）は、プロテオーム中のすべての8,000個の三量体の合計数と比較した、三量体が存在する頻度である。長さkの任意のタンパク質に関して、プローブiがタンパク質に結合する確率は、以下のように表され得る：
P(タンパク質の結合 | プローブi, k) = 1 - (1 - P(三量体の結合 | プローブi))k-2
【０１７５】
長さkのタンパク質に関して観測された、成功した結合イベントの数は、n回の試行をともなうポアソン二項分布に従い得、ここでnは、タンパク質に関してなされたプローブの結合測定の数であり、かつ分布のパラメーターpプローブ, kは、各試行について成功の確率を示す：
pプローブ, k = [P(結合 | プローブ1, k), P(結合 | プローブ2, k), P(結合 | プローブ3, k) … P(結合 | プローブn, k)]
【０１７６】
プローブの特定のセットを用いて、長さkのタンパク質からN個の結合イベントを生成する確率は、pによってパラメーター化され、Nにおいて評価される、ポアソン二項分布の確率質量関数（PMFPoiBin）として表され得る：
P(N個の結合イベント | プローブ, k) = PMFPoiBin (N, pプローブ, k)
【０１７７】
特定のアウトカムセットのスケール変換された尤度が、この確率に基づいて計算される：
2021501332.tif 000030
【０１７８】
実施例9：無作為に選択される親和性試薬の使用
本明細書において記載される方法は、親和性試薬の任意のセットに適用され得る。たとえば、タンパク質同定アプローチは、プロテオーム中で最も豊富な三量体を標的とする親和性試薬に、または無作為な三量体を標的とする親和性試薬に、適用され得る。プロテオーム中で最上位の最も豊富な三量体300個を標的とする親和性試薬、プロテオーム中で無作為に選択された三量体300個を標的とする親和性試薬、またはプロテオーム中で最も乏しい三量体300個を標的とする親和性試薬を用いるヒトタンパク質推定分析からの結果は、表7a〜表7cに示される。
【０１７９】
表7a〜表7c
（表７ａ）プロテオーム中の最も少ない三量体を標的とする、300個の親和性試薬
2021501332.tif 000031
【０１８０】
（表７ｂ）プロテオーム中の無作為な三量体を標的とする、300個の親和性試薬
2021501332.tif 000032
2021501332.tif 000033
2021501332.tif 000034
2021501332.tif 000035
2021501332.tif 000036
2021501332.tif 000037
2021501332.tif 000038
2021501332.tif 000039
2021501332.tif 000040
2021501332.tif 000041
2021501332.tif 000042
2021501332.tif 000043
2021501332.tif 000044
2021501332.tif 000045
2021501332.tif 000046
2021501332.tif 000047
【０１８１】
（表７ｃ）プロテオーム中の最も多い三量体を標的とする、300個の親和性試薬
2021501332.tif 000048
【０１８２】
これらの結果は、図9にプロットされる。すべての場合において、各親和性試薬は、標的三量体に対して0.25の結合確率を有しており、かつ、無作為に選択された追加の三量体に対して0.25〜4の結合確率を有していた。各親和性試薬セットの性能は、感度（たとえば同定されるタンパク質のパーセンテージ）に基づいて測定される。各親和性試薬セットは、5回繰り返して評価され、ここで各繰り返しの性能は点としてプロットされ、そして垂直の線が、親和性試薬の同じセットからの繰り返しの測定をつないでいる。最上位の最も豊富な300個の親和性試薬からなる、親和性試薬のセットからの結果は、青色であり、最下位の300個では緑色である。無作為な三量体を標的とする親和性試薬300個の、全部で100個の異なるセットが生成され、そして評価された。それらセットのそれぞれは、灰色の垂直の線でつながれた、5つの灰色の点（1つが各繰り返しを表す）のセットによって表される。この分析において使用された非打ち切りの推定から見て、より豊富な三量体を標的とすることは、無作為な三量体を標的とすることと比べて、同定の性能を改善する。
【０１８３】
実施例10：バイオシミラーオフターゲット部位を有する親和性試薬
本明細書において記載される方法は、異なるタイプのオフターゲット結合部位（エピトープ）を有する親和性試薬を用いる親和性試薬結合実験に、適用され得る。この実施例においては、親和性試薬の2つのクラスの性能が比較される：無作為な親和性試薬、および「バイオシミラー」親和性試薬。これらの評価からの結果は、表8a〜表8dに示される。
【０１８４】
表8a〜表8d
（表８ａ）バイオシミラーオフターゲット部位を有しており、かつプロテオーム中で最も豊富な三量体300個を標的とする親和性試薬を用いる、打ち切りの推定の性能
2021501332.tif 000049
【０１８５】
（表８ｂ）バイオシミラーオフターゲット部位を有しており、かつプロテオーム中で最も豊富な三量体300個を標的とする親和性試薬を用いる、非打ち切りの推定の性能
2021501332.tif 000050
【０１８６】
（表８ｃ）無作為なオフターゲット部位を有しており、かつプロテオーム中で最も豊富な三量体300個を標的とする親和性試薬を用いる、打ち切りの推定の性能
2021501332.tif 000051
【０１８７】
（表８ｄ）無作為なオフターゲット部位を有しており、かつプロテオーム中で最も豊富な三量体300個を標的とする親和性試薬を用いる、非打ち切りの推定の性能
2021501332.tif 000052
【０１８８】
無作為な親和性試薬とは異なり、バイオシミラー親和性試薬は、標的エピトープと生化学的に類似する、オフターゲット結合部位を有する。無作為な親和性試薬およびバイオシミラー親和性試薬の両方とも、それらの標的エピトープ（たとえば三量体）を、結合確率0.25で認識する。無作為なクラスの親和性試薬のそれぞれは、結合確率0.25の、無作為に選択されたオフターゲット三量体結合部位4つを有する。対照的に、「バイオシミラー」親和性試薬の、4つのオフターゲット結合部位は、親和性試薬の標的三量体に最も類似する4つの三量体であり、これらは確率0.25で結合される。これらのバイオシミラー親和性試薬に関して、三量体配列の間の類似性が、配列位置それぞれでのアミノ酸対についてBLOSUM62係数を合計することによって、計算される。無作為な親和性試薬のセットおよびバイオシミラー親和性試薬のセットの両方は、ヒトプロテオーム中で最上位の最も豊富な三量体300個を標的とし、ここで豊富さの度合いは、三量体の1つまたは複数の例を含んでいる、独特なタンパク質の数として、測定される。図10は、無作為なオフターゲット部位を有する親和性試薬（青色）またはバイオシミラーオフターゲット部位を有する親和性試薬（オレンジ色）が使用される場合にヒト試料において同定されるタンパク質のパーセントに関して、打ち切りのタンパク質推定アプローチ（破線）および非打ち切りのタンパク質推定アプローチ（実線）の性能を示す。
【０１８９】
この比較において、非打ち切りの推定は、打ち切りの推定よりも性能が優れており、非打ち切りの推定は、バイオシミラー親和性試薬のときのほうがより優れて実施され、かつ打ち切りの推定は、無作為な親和性試薬のときのほうがより優れて実施される。
【０１９０】
あるいは、プロテオーム中で最も豊富な三量体を標的とする親和性試薬を用いるのではなく、三量体標的の最適なセットが、測定され得る候補タンパク質（たとえばヒトプロテオーム）、実施されるタンパク質推定のタイプ（打ち切りまたは非打ち切り）、および使用される親和性試薬のタイプ（無作為なまたはバイオシミラー）に基づいて、特定のアプローチに関して選択され得る。「貪欲法」アルゴリズムが、後述のように、最適な親和性試薬のセットを選択するために、使用され得る：
1)  選択される親和性試薬（AR）の空のリストを、初期化する。
2)  候補ARのセット（たとえば、そのそれぞれが、無作為なオフターゲット部位を有しつつ独特な三量体を標的とする、8,000個のARの集団）を、初期化する。
3)  （たとえばUniprotリファレンスプロテオーム中のすべてのヒトタンパク質）に対して最適化するために、タンパク質配列のセットを選択する。
4)  所望の数のARが選択されるまで、以下を繰り返す：
a.  各候補ARに関して：
i.  タンパク質セットに対する候補ARの結合をシミュレートする。
ii.  候補ARからシミュレートされた結合測定、および以前に選択されたすべてのARからシミュレートされた結合測定を用いて、各タンパク質についてタンパク質推定を実施する。
iii.  タンパク質推定によって決定される、各タンパク質についての正確なタンパク質同定の確率を合計することによって、候補ARについてスコアを算定する。
b.  最高のスコアを有するARを選択されるARのセットへ追加し、そしてそれを候補ARリストから除去する。
【０１９１】
貪欲法アプローチは、ヒトプロテオーム中で最上位の最も豊富な三量体4,000個を標的とする、無作為な親和性試薬の集団またはバイオシミラー親和性試薬の集団のいずれかから、最適な親和性試薬300個を選択するために、使用された。最適化が、打ち切りのタンパク質推定および非打ち切りのタンパク質推定の両方に対して実施された。これらの最適化からの結果は、表9a〜表9dに提供される。
【０１９２】
表9a〜表9d
（表９ａ）バイオシミラーオフターゲット部位を有しており、かつプロテオーム中の最適な三量体300個を標的とする親和性試薬を用いる、打ち切りの推定の性能
2021501332.tif 000053
【０１９３】
（表９ｂ）バイオシミラーオフターゲット部位を有しており、かつプロテオーム中の最適な三量体300個を標的とする親和性試薬を用いる、非打ち切りの推定の性能
2021501332.tif 000054
【０１９４】
（表９ｃ）無作為なオフターゲット部位を有しており、かつプロテオーム中の最適な三量体300個を標的とする親和性試薬を用いる、打ち切りの推定の性能
2021501332.tif 000055
【０１９５】
（表９ｄ）無作為なオフターゲット部位を有しており、かつプロテオーム中の最適な三量体300個を標的とする親和性試薬を用いる、非打ち切りの推定の性能
2021501332.tif 000056
【０１９６】
打ち切りのタンパク質推定および非打ち切りのタンパク質推定の両方についての、最適化されたプローブセットの性能は、図11にプロットされる。
【０１９７】
貪欲法の最適化アルゴリズムによって選択された親和性試薬のセットの使用は、打ち切りのタンパク質推定アプローチおよび非打ち切りのタンパク質推定アプローチの両方を用いる、無作為な親和性試薬セットならびにバイオシミラー親和性試薬セット両方の性能を、改善する。加えて、無作為な親和性試薬のセットは、貪欲法アプローチが親和性試薬を選択するために使用される場合に、バイオシミラー親和性試薬のセットとほぼ同様に作用する。
【０１９８】
実施例11：親和性試薬の混合物の結合を用いるタンパク質推定
本明細書において記載される方法は、親和性試薬の混合物を用いて測定されたタンパク質を、分析および／または同定するために、適用され得る。親和性試薬の混合物によってアッセイされた場合に、ある特定のタンパク質が結合アウトカムを生成する確率は、以下のように計算され得る：
1)  混合物中の各親和性試薬の、非特異的エピトープ結合の平均の確率
2021501332.tif 000057
を、算定する。
2)  タンパク質における結合部位の数を、タンパク質の長さ（L）および親和性試薬のエピトープの長さ（K）に基づいて算定する：結合部位の数 = L - K + 1。非特異的結合イベントが生じない確率は、
2021501332.tif 000058
である。
3)  混合物中の各親和性試薬に関して、エピトープ特異的結合イベントが生じない確率を、以下のように算定する：
2021501332.tif 000059
4)  タンパク質に関して、混合物が非結合アウトカムを生成する確率は、以下である：
2021501332.tif 000060
5)  混合物が結合アウトカムを生成する確率は、以下である：
P(結合 | タンパク質) = 1 - P(非結合 | タンパク質)
【０１９９】
タンパク質混合物からの、結合アウトカムまたは非結合アウトカムの確率を算定するためのこのアプローチは、タンパク質同定のための親和性試薬の混合物の性能を分析するために、本明細書において記載される方法と組み合わせて使用された。分析において個々の親和性試薬それぞれは、その標的三量体エピトープに、0.25の確率で結合し、かつ該エピトープ標的に最も類似する三量体4つに、0.25の確率で結合する。これらの親和性試薬に関して、三量体の類似性が、比較される三量体中の各配列位置におけるアミノ酸についてBLOSUM62置換マトリックスからの係数を合計することによって、算定される。加えて、各親和性試薬は、BLOSUM62置換マトリックスを用いて算定された、オフターゲット部位と標的三量体との間の配列類似性にしたがい、スケール変換された結合確率で、20個の追加のオフターゲット部位に結合する。これらの追加のオフターゲット部位についての確率は、以下のとおりである：
2021501332.tif 000061
ここでSOTは、オフターゲット部位と標的部位との間のBLOSUM62類似性であり、かつSselfは、標的配列とそれ自身との間のBLOSUM62類似性である。2.45 x 108を下回る結合確率を有するオフターゲット部位はいずれも、結合確率2.45 x 108を有するように調整される。非特異的エピトープ結合確率は、この例においては2.45 x 108である。
【０２００】
300個の親和性試薬の混合物の最適なセットは、打ち切りのおよび非打ち切りの両方のタンパク質推定のために、貪欲法アプローチを用いて生成された：
1)  選択される親和性試薬（AR）混合物の空のリストを、初期化する。
2)  候補親和性試薬（この例においては、実施例10に詳細が記載される貪欲法アプローチを用いて計算された、300個のもっとも最適なものからなる）のリストを、初期化する。
3)  （たとえばUniprotリファレンスプロテオーム中のすべてのヒトタンパク質）に対して最適化するために、タンパク質配列のセットを選択する。
4)  所望の数のAR混合物が生成されるまで、以下を繰り返す：
a.  空の混合物を初期化する。
b.  各候補ARに関して：
i.  それに追加された候補ARを有する現在の混合物を用いて、結合アウトカムをシミュレートする。
ii.  i.からシミュレートされた結合測定、および以前に生成された混合物からシミュレートされた結合測定を用いて、各タンパク質についてタンパク質推定を実施する。
iii.  タンパク質推定によって決定される、各タンパク質についての正確なタンパク質同定の確率を合計することによって、この候補ARを有する混合物についてスコアを算定する。
c.  最高のスコアが付けられた候補ARを、混合物へ追加する。
d.  それまでに混合物になかった各候補ARに関して、該ARが追加された混合物に、i〜iiiにおけるようにスコアを付け、そして、最高のスコアが付けられた候補が、混合物に追加された以前の候補よりも高いスコアを有する場合、それを混合物に追加し、そして、この工程を繰り返す。混合物は、最高のスコアが付けられた候補ARが、以前に追加された候補と比べて、混合物のスコアを減少させる場合に、またはすべての候補ARが混合物に追加された場合に、完成する。
【０２０１】
図12は、非混合の候補親和性試薬が、および混合物が、打ち切りのタンパク質推定および非打ち切りのタンパク質推定とともに使用される場合の、タンパク質同定の感度を示す。図12にプロットされるデータは、表10a〜表10bに示される。
【０２０２】
表10a〜表10b
（表１０ａ）個々のプローブ（非混合）の、またはプローブの混合物（混合）の結合においてなされた測定を用いる、打ち切りの推定の性能
2021501332.tif 000062
【０２０３】
（表１０ｂ）個々のプローブ（非混合）の、またはプローブの混合物（混合）の結合においてなされた測定を用いる、非打ち切りの推定の性能
2021501332.tif 000063
【０２０４】
混合物の使用は、非打ち切りの推定が使用される場合に性能を改善するが、打ち切りの推定が使用される場合には、性能に不利な影響を与え得る。
【０２０５】
実施例12−候補グリカン7個のデータベースを用いるグリカン同定
データベースが候補グリカン7個を含む状況を、検討する：
2021501332.tif 000064
【０２０６】
加えて実験は、所与の二糖への結合の25%の尤度をそのそれぞれが有する、4個の親和性試薬（AR）を用いて実施する。これらの試薬が結合する他の二糖は、データベース中のいかなるグリカンにも見出されない。
【０２０７】
ヒットテーブルが、データベース中の各配列に対する親和性試薬に関して構築される。
（行 = 親和性試薬#1〜#4、列 = SEQ ID）
2021501332.tif 000065
【０２０８】
とりわけ、この情報は徐々に到着するので、したがって反復して計算されてよい。以下に示されるように、ヒットテーブルから、P(グリカン_i | AR_j)が、確率マトリックスを生成するために評価される。所与のエントリーに関して、ヒットテーブル >= 1であるならば、P_着地_AR_n = 真の着地率 = 0.25が使用され；そうではなくヒットテーブル = 0であれば、P(検出器の誤り) = 0.00001が使用されることに、注意されたい。
2021501332.tif 000066
【０２０９】
多くのセルが0.00001の確率を含むことに注意されたい。この小さい確率は、検出器の誤りが原因である可能性がある。最初に、正規化されていない、グリカンの確率が、各候補グリカンについて、確率の積として算定される：
2021501332.tif 000067
【０２１０】
次に、サイズの正規化が計算され、これは、いくつかの数の親和性試薬が、所与のグリカンに着地し得る様式の数を、グリカンの潜在的な結合部位の数の関数として表す。サイズの正規化は、Choose(部位_i, n)との語として表される。たとえば、候補ID 52は、6個の二糖部位、および15である[6 choose 4]というサイズの正規化を、有する。利用可能な二糖部位の数よりも多い結合イベントがある場合、サイズの正規化係数は1にセットされる。正規化されていない、各グリカンの確率は、このサイズ補正を考慮に入れるために、サイズの正規化で割ることによって正規化され、これを以下に示す：
2021501332.tif 000068
【０２１１】
次に、データベース全体にわたる確率のセット全体が合計されて1になるように、確率が正規化される。これは、サイズが正規化された確率が0.00390641になるよう合計し、そして最終的な釣り合った確率を達成するために、この正規化によって、サイズが正規化された確率のそれぞれを割ることによって、達成される：
2021501332.tif 000069
【０２１２】
項目
1.  未知のタンパク質の試料中の候補タンパク質を反復して同定するための、コンピューターによって遂行される方法であって、以下の工程を含む、方法：
(a)  前記試料中の前記未知のタンパク質に対する複数の親和性試薬プローブのそれぞれについての結合測定の情報を、前記コンピューターによって受信する工程であって、親和性試薬プローブそれぞれが、複数の候補タンパク質の中の1つまたは複数の候補タンパク質に選択的に結合するように設定されている、工程；
(b)  前記結合測定の情報の少なくとも一部分を、複数のタンパク質配列を含むデータベースに対して、前記コンピューターによって比較する工程であって、各タンパク質配列が、前記複数の候補タンパク質の中の1つの候補タンパク質に対応する、工程；および
(c)  前記複数の候補タンパク質中の1つまたは複数の候補タンパク質のそれぞれに関して、前記1つまたは複数の候補タンパク質のそれぞれが前記試料中に存在する確率を、前記1つまたは複数の候補タンパク質のそれぞれの前記結合測定の情報の前記少なくとも一部分の、前記複数のタンパク質配列を含む前記データベースに対する前記比較に基づいて、前記コンピューターによって反復して生成する工程。
2.  前記複数の確率を生成する工程が、
複数の追加の親和性試薬プローブのそれぞれについての結合測定の追加の情報を、反復して受信すること
をさらに含み、追加の親和性試薬プローブそれぞれが、前記複数の候補タンパク質の中の1つまたは複数の候補タンパク質に選択的に結合するように設定されている、項目1記載の方法。
3.  前記1つまたは複数の候補タンパク質のそれぞれについて、前記候補タンパク質が前記試料中の前記未知のタンパク質の1つに整合する信頼水準を生成する工程
をさらに含む、項目1記載の方法。
4.  前記確率を生成する工程が、
前記結合測定の情報に関連する、検出器の誤り率を考慮に入れること
を含む、項目1記載の方法。
5.  前記検出器の誤り率が、前記結合測定の情報を入手するために使用される1つまたは複数の検出器の仕様書から得られる、項目4記載の方法。
6.  前記検出器の誤り率が、検出器の推測誤り率にセットされる、項目4記載の方法。
7.  前記検出器の推測誤り率が、前記コンピューターのユーザーによってセットされる、項目6記載の方法。
8.  前記検出器の推測誤り率が、約0.001である、項目6記載の方法。
9.  前記複数の確率を反復して生成する工程が、
続く反復から、前記複数の候補タンパク質からの1つまたは複数の候補タンパク質を除去すること
をさらに含み、それにより、前記確率の前記反復した生成を実施するために必要ないくつかの反復を減少させる、項目1記載の方法。
10.  前記1つまたは複数の候補タンパク質を除去することが、前記候補タンパク質に関連する前記結合測定の所定の基準に少なくとも基づいている、項目9記載の方法。
11.  前記所定の基準が、
前記複数の親和性試薬プローブの中の第一の複数に対する所定の閾値を下回る結合測定を有する、前記1つまたは複数の候補タンパク質
を含む、項目10記載の方法。
12.  前記確率のそれぞれが、前記候補タンパク質の長さに対して正規化される、項目1記載の方法。
13.  前記確率のそれぞれが、前記複数の候補タンパク質の確率の総和に対して正規化される、項目1記載の方法。
14.  前記複数の親和性試薬プローブが、50個以下の親和性試薬プローブを含む、項目1記載の方法。
15.  前記複数の親和性試薬プローブが、100個以下の親和性試薬プローブを含む、項目1記載の方法。
16.  前記複数の親和性試薬プローブが、500個以下の親和性試薬プローブを含む、項目1記載の方法。
17.  前記複数の親和性試薬プローブが、500個超の親和性試薬プローブを含む、項目1記載の方法。
18.  前記確率が、所定の条件が満たされるまで反復して生成される、項目1記載の方法。
19.  前記所定の条件が、少なくとも90%の信頼度で複数の確率のそれぞれを生成することを含む、項目18記載の方法。
20.  前記所定の条件が、少なくとも95%の信頼度で前記複数の確率のそれぞれを生成することを含む、項目19記載の方法。
21.  前記所定の条件が、少なくとも99%の信頼度で前記複数の確率のそれぞれを生成することを含む、項目20記載の方法。
22.  前記試料中の1つまたは複数の未知のタンパク質を同定する紙のまたは電子的なレポートを生成する工程
をさらに含む、項目1記載の方法。
23.  前記試料が生物学的試料を含む、項目1記載の方法。
24.  前記生物学的試料が、対象から得られる、項目23記載の方法。
25.  前記複数の確率に少なくとも基づいて、前記対象における疾患の状態を同定する工程
をさらに含む、項目24記載の方法。
26.  未知のタンパク質の試料中の候補タンパク質を同定するための、コンピューターによって遂行される方法であって、以下の工程を含む、方法：
(a)  前記試料中の前記未知のタンパク質に対する複数の親和性試薬プローブのそれぞれについての結合測定の情報を、前記コンピューターによって受信する工程であって、親和性試薬プローブそれぞれが、複数の候補タンパク質の中の1つまたは複数の候補タンパク質に選択的に結合するように設定されている、工程；
(b)  前記結合測定の情報の少なくとも一部分を、複数のタンパク質配列を含むデータベースに対して、前記コンピューターによって比較する工程であって、各タンパク質配列が、前記複数の候補タンパク質の中の1つの候補タンパク質に対応する、工程；および
(c)  前記結合測定の情報の前記少なくとも一部分の、前記複数のタンパク質配列を含む前記データベースに対する前記比較に少なくとも基づいて、前記複数の候補タンパク質から1つまたは複数の候補タンパク質を除去する工程。
27.  前記1つまたは複数の候補タンパク質を除去する工程が、前記候補タンパク質に関連する前記結合測定の所定の基準に少なくとも基づいている、項目26記載の方法。
28.  前記所定の基準が、
前記複数の親和性試薬プローブの中の第一の複数に対する所定の閾値を下回る結合測定を有する、前記1つまたは複数の候補タンパク質
を含む、項目27記載の方法。
29.  前記複数の親和性試薬プローブが、50個以下の親和性試薬プローブを含む、項目26記載の方法。
30.  前記複数の親和性試薬プローブが、100個以下の親和性試薬プローブを含む、項目26記載の方法。
31.  前記複数の親和性試薬プローブが、500個以下の親和性試薬プローブを含む、項目26記載の方法。
32.  前記複数の親和性試薬プローブが、500個超の親和性試薬プローブを含む、項目26記載の方法。
33.  前記試料中の1つまたは複数の未知のタンパク質を同定する紙のまたは電子的なレポートを生成する工程
をさらに含む、項目26記載の方法。
34.  前記試料が生物学的試料を含む、項目26記載の方法。
35.  前記生物学的試料が対象から得られる、項目34記載の方法。
36.  前記同定される候補タンパク質に少なくとも基づいて、前記対象における疾患の状態を同定する工程
をさらに含む、項目35記載の方法。
37.  未知のグリカンの試料中の候補グリカンを反復して同定するための、コンピューターによって遂行される方法であって、以下の工程を含む、方法：
(a)  前記試料中の前記未知のグリカンに対する複数の親和性試薬プローブのそれぞれについての結合測定を、前記コンピューターによって受信する工程であって、親和性試薬プローブそれぞれが、複数の候補グリカンの中の1つまたは複数の候補グリカンに選択的に結合するように設定されている、工程；
(b)  結合測定を、複数のグリカン配列を含むデータベースに対して、前記コンピューターによって比較する工程であって、各グリカン配列が、前記複数の候補グリカンの中の1つの候補グリカンに対応する、工程；および
(c)  前記複数の候補グリカン中の1つまたは複数の候補グリカンのそれぞれに関して、前記1つまたは複数の候補グリカンのそれぞれが前記試料中に存在する確率を、前記結合測定の、前記複数の候補グリカンの中の1つの候補グリカンにそれぞれ対応する複数のグリカン配列を含む前記データベースに対する前記比較に基づいて、前記コンピューターによって反復して生成する工程。
38.  前記複数の確率を生成する工程が、
複数の追加の親和性試薬プローブのそれぞれについての結合測定の追加の情報を、反復して受信すること
をさらに含み、追加の親和性試薬プローブそれぞれが、前記複数の候補グリカンの中の1つまたは複数の候補グリカンに選択的に結合するように設定されている、項目37記載の方法。
39.  前記1つまたは複数の候補グリカンのそれぞれについて、前記候補グリカンが前記試料中の前記未知のグリカンの1つに整合する信頼水準を生成する工程
をさらに含む、項目37記載の方法。
40.  前記確率を生成する工程が、
前記結合測定の情報に関連する、検出器の誤り率を考慮に入れること
を含む、項目37記載の方法。
41.  前記検出器の誤り率が、前記結合測定の情報を入手するために使用される1つまたは複数の検出器の仕様書から得られる、項目40記載の方法。
42.  前記検出器の誤り率が、検出器の推測誤り率にセットされる、項目40記載の方法。
43.  前記検出器の推測誤り率が、前記コンピューターのユーザーによってセットされる、項目42記載の方法。
44.  前記検出器の推測誤り率が、約0.001である、項目42記載の方法。
45.  前記複数の確率を反復して生成する工程が、
続く反復から、前記複数の候補グリカンからの1つまたは複数の候補グリカンを除去すること
をさらに含み、それにより、前記確率の前記反復した生成を実施するために必要ないくつかの反復を減少させる、項目37記載の方法。
46.  前記1つまたは複数の候補グリカンを除去する工程が、前記候補グリカンに関連する前記結合測定の所定の基準に少なくとも基づいている、項目45記載の方法。
47.  前記所定の基準が、
前記複数の親和性試薬プローブの中の第一の複数に対する所定の閾値を下回る結合測定を有する、前記1つまたは複数の候補グリカン
を含む、項目46記載の方法。
48.  前記確率のそれぞれが、前記候補グリカンのいくつかの潜在的な結合部位に対して正規化される、項目37記載の方法。
49.  前記確率のそれぞれが、前記複数の候補グリカンの確率の総和に対して正規化される、項目37記載の方法。
50.  前記複数の親和性試薬プローブが、50個以下の親和性試薬プローブを含む、項目37記載の方法。
51.  前記複数の親和性試薬プローブが、100個以下の親和性試薬プローブを含む、項目37記載の方法。
52.  前記複数の親和性試薬プローブが、500個以下の親和性試薬プローブを含む、項目37記載の方法。
53.  前記複数の親和性試薬プローブが、500個超の親和性試薬プローブを含む、項目37記載の方法。
54.  前記確率が、所定の条件が満たされるまで反復して生成される、項目37記載の方法。
55.  前記所定の条件が、少なくとも90%の信頼度で複数の確率のそれぞれを生成することを含む、項目54記載の方法。
56.  前記所定の条件が、少なくとも95%の信頼度で前記複数の確率のそれぞれを生成することを含む、項目55記載の方法。
57.  前記所定の条件が、少なくとも99.999%の信頼度で前記複数の確率のそれぞれを生成することを含む、項目56記載の方法。
58.  前記試料中の1つまたは複数の未知のグリカンを同定する紙のまたは電子的なレポートを生成する工程
をさらに含む、項目37記載の方法。
59.  前記試料が生物学的試料を含む、項目37記載の方法。
60.  前記生物学的試料が対象から得られる、項目59記載の方法。
61.  前記複数の確率に少なくとも基づいて、前記対象における疾患の状態を同定する工程
をさらに含む、項目60記載の方法。
62.  未知のグリカンの試料中の候補グリカンを同定するための、コンピューターによって遂行される方法であって、以下の工程を含む、方法：
(a)  前記試料中の前記未知のグリカンに対する複数の親和性試薬プローブのそれぞれについての結合測定を、前記コンピューターによって受信する工程であって、親和性試薬プローブそれぞれが、複数の候補グリカンの中の1つまたは複数の候補グリカンに選択的に結合するように設定されている、工程；
(b)  前記結合測定の少なくとも一部分を、複数のグリカン配列を含むデータベースに対して、前記コンピューターによって比較する工程であって、各グリカン配列が、前記複数の候補グリカンの中の1つの候補グリカンに対応する、工程；および
(c)  前記結合測定の情報の前記少なくとも一部分の、前記複数のグリカン配列を含む前記データベースに対する前記比較に少なくとも基づいて、前記複数の候補グリカンから1つまたは複数の候補グリカンを除去する工程。
63.  前記1つまたは複数の候補グリカンを除去する工程が、前記候補グリカンに関連する前記結合測定の所定の基準に少なくとも基づいている、項目62記載の方法。
64.  前記所定の基準が、
前記複数の親和性試薬プローブの中の第一の複数に対する所定の閾値を下回る結合測定を有する、前記1つまたは複数の候補グリカン
を含む、項目63記載の方法。
65.  前記複数の親和性試薬プローブが、50個以下の親和性試薬プローブを含む、項目62記載の方法。
66.  前記複数の親和性試薬プローブが、100個以下の親和性試薬プローブを含む、項目62記載の方法。
67.  前記複数の親和性試薬プローブが、500個以下の親和性試薬プローブを含む、項目62記載の方法。
68.  前記複数の親和性試薬プローブが、500個超の親和性試薬プローブを含む、項目62記載の方法。
69.  前記試料中の1つまたは複数の未知のグリカンを同定する紙のまたは電子的なレポートを生成する工程
をさらに含む、項目62記載の方法。
70.  前記試料が生物学的試料を含む、項目62記載の方法。
71.  前記生物学的試料が対象から得られる、項目70記載の方法。
72.  前記同定される候補グリカンに少なくとも基づいて、前記対象における疾患の状態を同定する工程
をさらに含む、項目71記載の方法。
73.  結合測定が、グリカンへの親和性試薬の結合の測定を含む、前記請求項のいずれか一項に記載の方法。
74.  結合測定が、グリカンへの親和性試薬の非結合の測定を含む、前記請求項のいずれか一項に記載の方法。
75.  前記所定の条件が、少なくとも99.999999999999%の信頼度で前記複数の確率のそれぞれを生成することを含む、項目57記載の方法。
76.  前記所定の条件が、少なくとも99.9999999999999%の信頼度で前記複数の確率のそれぞれを生成することを含む、項目57記載の方法。
77.  前記所定の条件が、少なくとも99.99999999999999%の信頼度で前記複数の確率のそれぞれを生成することを含む、項目57記載の方法。
78.  未知の代謝物の試料中の候補代謝物を反復して同定するための、コンピューターによって遂行される方法であって、以下の工程を含む、方法：
(a)  前記試料中の前記未知の代謝物に対する複数の親和性試薬プローブのそれぞれについての結合測定を、前記コンピューターによって受信する工程であって、親和性試薬プローブそれぞれが、複数の候補代謝物の中の1つまたは複数の候補代謝物に選択的に結合するように設定されている、工程；
(b)  結合測定を、複数の代謝物構造を含むデータベースに対して、前記コンピューターによって比較する工程であって、各代謝物構造が、前記複数の候補代謝物の中の1つの候補代謝物に対応する、工程；および
(c)  前記複数の候補代謝物中の1つまたは複数の候補代謝物のそれぞれに関して、前記1つまたは複数の候補代謝物のそれぞれが前記試料中に存在する確率を、前記結合測定の、前記複数の候補代謝物の中の1つの候補代謝物にそれぞれ対応する複数の代謝物構造を含む前記データベースに対する前記比較に基づいて、前記コンピューターによって反復して生成する工程。
79.  前記複数の確率を生成する工程が、
複数の追加の親和性試薬プローブのそれぞれについての結合測定の追加の情報を、反復して受信すること
をさらに含み、追加の親和性試薬プローブそれぞれが、前記複数の候補代謝物の中の1つまたは複数の候補代謝物に選択的に結合するように設定されている、項目78記載の方法。
80.  1つまたは複数の候補代謝物のそれぞれに関して、前記候補代謝物が前記試料中の前記未知の代謝物の1つに整合する信頼水準を生成する工程
をさらに含む、項目78記載の方法。
81.  前記確率を生成する工程が、
前記結合測定の情報に関連する、検出器の誤り率を考慮に入れること
を含む、項目78記載の方法。
82.  前記検出器の誤り率が、前記結合測定の情報を入手するために使用される1つまたは複数の検出器の仕様書から得られる、項目81記載の方法。
83.  前記検出器の誤り率が、検出器の推測誤り率にセットされる、項目81記載の方法。
84.  前記検出器の推測誤り率が、前記コンピューターのユーザーによってセットされる、項目83記載の方法。
85.  前記検出器の推測誤り率が、約0.001である、項目83記載の方法。
86.  前記複数の確率を反復して生成する工程が、
続く反復から、前記複数の候補代謝物からの1つまたは複数の候補代謝物を除去すること
をさらに含み、それにより、前記確率の前記反復した生成を実施するために必要ないくつかの反復を減少させる、項目78記載の方法。
87.  前記1つまたは複数の候補代謝物を除去することが、前記候補代謝物に関連する前記結合測定の所定の基準に少なくとも基づいている、項目86記載の方法。
88.  前記所定の基準が、
前記複数の親和性試薬プローブの中の第一の複数に対する所定の閾値を下回る結合測定を有する、前記1つまたは複数の候補代謝物
を含む、項目87記載の方法。
89.  前記確率のそれぞれが、前記候補代謝物のいくつかの潜在的な結合部位に対して正規化される、項目78記載の方法。
90.  前記確率のそれぞれが、前記複数の候補代謝物の確率の総和に対して正規化される、項目78記載の方法。
91.  前記複数の親和性試薬プローブが、50個以下の親和性試薬プローブを含む、項目78記載の方法。
92.  前記複数の親和性試薬プローブが、100個以下の親和性試薬プローブを含む、項目78記載の方法。
93.  前記複数の親和性試薬プローブが、500個以下の親和性試薬プローブを含む、項目78記載の方法。
94.  前記複数の親和性試薬プローブが、500個超の親和性試薬プローブを含む、項目78記載の方法。
95.  前記確率が、所定の条件が満たされるまで反復して生成される、項目78記載の方法。
96.  前記所定の条件が、少なくとも90%の信頼度で複数の確率のそれぞれを生成することを含む、項目95記載の方法。
97.  前記所定の条件が、少なくとも95%の信頼度で前記複数の確率のそれぞれを生成することを含む、項目96記載の方法。
98.  前記所定の条件が、少なくとも99.999%の信頼度で前記複数の確率のそれぞれを生成することを含む、項目97記載の方法。
99.  前記試料中の1つまたは複数の未知の代謝物を同定する紙のまたは電子的なレポートを生成する工程
をさらに含む、項目78記載の方法。
100.  前記試料が生物学的試料を含む、項目78記載の方法。
101.  前記生物学的試料が対象から得られる、項目100記載の方法。
102.  前記複数の確率に少なくとも基づいて、前記対象における疾患の状態を同定する工程
をさらに含む、項目101記載の方法。
103.  未知の代謝物の試料中の候補代謝物を同定するための、コンピューターによって遂行される方法であって、以下の工程を含む、方法：
(a)  前記試料中の前記未知の代謝物に対する複数の親和性試薬プローブのそれぞれについての結合測定を、前記コンピューターによって受信する工程であって、親和性試薬プローブそれぞれが、複数の候補代謝物の中の1つまたは複数の候補代謝物に選択的に結合するように設定されている、工程；
(b)  前記結合測定の少なくとも一部分を、複数の代謝物構造を含むデータベースに対して、前記コンピューターによって比較する工程であって、各代謝物構造が、前記複数の候補代謝物の中の1つの候補代謝物に対応する、工程；および
(c)  前記結合測定の情報の前記少なくとも一部分の、前記複数の代謝物構造を含む前記データベースに対する前記比較に少なくとも基づいて、前記複数の候補代謝物から1つまたは複数の候補代謝物を除去する工程。
104.  前記1つまたは複数の候補代謝物を除去する工程が、前記候補代謝物に関連する前記結合測定の所定の基準に少なくとも基づいている、項目103記載の方法。
105.  前記所定の基準が、
前記複数の親和性試薬プローブの中の第一の複数に対する所定の閾値を下回る結合測定を有する、前記1つまたは複数の候補代謝物
を含む、項目104記載の方法。
106.  前記複数の親和性試薬プローブが、50個以下の親和性試薬プローブを含む、項目103記載の方法。
107.  前記複数の親和性試薬プローブが、100個以下の親和性試薬プローブを含む、項目103記載の方法。
108.  前記複数の親和性試薬プローブが、500個以下の親和性試薬プローブを含む、項目103記載の方法。
109.  前記複数の親和性試薬プローブが、500個超の親和性試薬プローブを含む、項目103記載の方法。
110.  前記試料中の1つまたは複数の未知の代謝物を同定する紙のまたは電子的なレポートを生成する工程
をさらに含む、項目103記載の方法。
111.  前記試料が生物学的試料を含む、項目103記載の方法。
112.  前記生物学的試料が対象から得られる、項目111記載の方法。
113.  前記同定される候補代謝物に少なくとも基づいて、前記対象における疾患の状態を同定する工程
をさらに含む、項目112記載の方法。
114.  結合測定が、代謝物への親和性試薬の結合の測定を含む、前記項目のいずれかに記載の方法。
115.  結合測定が、代謝物への親和性試薬の非結合の測定を含む、前記項目のいずれかに記載の方法。
116.  前記所定の条件が、少なくとも99.99999%の信頼度で前記複数の確率のそれぞれを生成することを含む、項目98記載の方法。
117.  前記所定の条件が、少なくとも99.999999%の信頼度で前記複数の確率のそれぞれを生成することを含む、項目98記載の方法。
118.  前記所定の条件が、少なくとも99.9999999%の信頼度で前記複数の確率のそれぞれを生成することを含む、項目98記載の方法。
119.  前記所定の条件が、少なくとも99.99999999%の信頼度で前記複数の確率のそれぞれを生成することを含む、項目98記載の方法。
120.  前記所定の条件が、少なくとも99.99999999%の信頼度で前記複数の確率のそれぞれを生成することを含む、項目98記載の方法。
121.  前記所定の条件が、少なくとも99.999999999%の信頼度で前記複数の確率のそれぞれを生成することを含む、項目98記載の方法。
122.  前記所定の条件が、少なくとも99.9999999999%の信頼度で前記複数の確率のそれぞれを生成することを含む、項目98記載の方法。
123.  前記所定の条件が、少なくとも99.99999999999%の信頼度で前記複数の確率のそれぞれを生成することを含む、項目98記載の方法。
124.  前記所定の条件が、少なくとも99.999999999999%の信頼度で前記複数の確率のそれぞれを生成することを含む、項目98記載の方法。
125.  前記所定の条件が、少なくとも99.9999999999999%の信頼度で前記複数の確率のそれぞれを生成することを含む、項目98記載の方法。
126.  前記所定の条件が、少なくとも99.99999999999999%の信頼度で前記複数の確率のそれぞれを生成することを含む、項目98記載の方法。
127.  未知のグリカンの試料中の候補グリカンを反復して同定するための、コンピューターによって遂行される方法であって、以下の工程を含む、方法：
(a)  前記試料中の前記未知のグリカンに対する複数の親和性試薬プローブのそれぞれについての結合測定を、前記コンピューターによって受信する工程であって、親和性試薬プローブそれぞれが、複数の候補グリカンの中の1つまたは複数の候補グリカンに選択的に結合するように設定されている、工程；
(b)  結合測定を、複数のグリカン構造を含むデータベースに対して、前記コンピューターによって比較する工程であって、各グリカン構造が、前記複数の候補グリカンの中の1つの候補グリカンに対応する、工程；および
(c)  前記複数の候補グリカン中の1つまたは複数の候補グリカンのそれぞれに関して、前記1つまたは複数の候補グリカンのそれぞれが前記試料中に存在する確率を、前記結合測定の、前記複数の候補グリカンの中の1つの候補グリカンにそれぞれ対応する複数のグリカン構造を含む前記データベースに対する前記比較に基づいて、前記コンピューターによって反復して生成する工程。
128.  前記複数の確率を生成する工程が、
複数の追加の親和性試薬プローブのそれぞれについての結合測定の追加の情報を、反復して受信すること
をさらに含み、追加の親和性試薬プローブそれぞれが、前記複数の候補グリカンの中の1つまたは複数の候補グリカンに選択的に結合するように設定されている、項目127記載の方法。
129.  前記1つまたは複数の候補グリカンのそれぞれに関して、前記候補グリカンが前記試料中の前記未知のグリカンの1つに整合する信頼水準を生成する工程
をさらに含む、項目127記載の方法。
130.  前記確率を生成する工程が、
前記結合測定の情報に関連する、検出器の誤り率を考慮に入れること
を含む、項目127記載の方法。
131.  前記検出器の誤り率が、前記結合測定の情報を入手するために使用される1つまたは複数の検出器の仕様書から得られる、項目130記載の方法。
132.  前記検出器の誤り率が、検出器の推測誤り率にセットされる、項目130記載の方法。
133.  前記検出器の推測誤り率が、前記コンピューターのユーザーによってセットされる、項目132記載の方法。
134.  前記検出器の推測誤り率が、約0.001である、項目132記載の方法。
135.  前記複数の確率を反復して生成する工程が、
続く反復から、前記複数の候補グリカンからの1つまたは複数の候補グリカンを除去すること
をさらに含み、それにより、前記確率の前記反復した生成を実施するために必要ないくつかの反復を減少させる、項目127記載の方法。
136.  前記1つまたは複数の候補グリカンを除去することが、前記候補グリカンに関連する前記結合測定の所定の基準に少なくとも基づいている、項目135記載の方法。
137.  前記所定の基準が、
前記複数の親和性試薬プローブの中の第一の複数に対する所定の閾値を下回る結合測定を有する、前記1つまたは複数の候補グリカン
を含む、項目136記載の方法。
138.  前記確率のそれぞれが、前記候補グリカンのいくつかの潜在的な結合部位に対して正規化される、項目127記載の方法。
139.  前記確率のそれぞれが、前記複数の候補グリカンの確率の総和に対して正規化される、項目127記載の方法。
140.  前記複数の親和性試薬プローブが、50個以下の親和性試薬プローブを含む、項目127記載の方法。
141.  前記複数の親和性試薬プローブが、100個以下の親和性試薬プローブを含む、項目127記載の方法。
142.  前記複数の親和性試薬プローブが、500個以下の親和性試薬プローブを含む、項目127記載の方法。
143.  前記複数の親和性試薬プローブが、500個超の親和性試薬プローブを含む、項目127記載の方法。
144.  前記確率が、所定の条件が満たされるまで反復して生成される、項目127記載の方法。
145.  前記所定の条件が、少なくとも90%の信頼度で複数の確率のそれぞれを生成することを含む、項目144記載の方法。
146.  前記所定の条件が、少なくとも95%の信頼度で前記複数の確率のそれぞれを生成することを含む、項目145記載の方法。
147.  前記所定の条件が、少なくとも99.999%の信頼度で前記複数の確率のそれぞれを生成することを含む、項目146記載の方法。
148.  前記試料中の1つまたは複数の未知のグリカンを同定する紙のまたは電子的なレポートを生成する工程
をさらに含む、項目127記載の方法。
149.  前記試料が生物学的試料を含む、項目127記載の方法。
150.  前記生物学的試料が対象から得られる、項目149記載の方法。
151.  前記複数の確率に少なくとも基づいて、前記対象における疾患の状態を同定する工程
をさらに含む、項目150記載の方法。
152.  未知のグリカンの試料中の候補グリカンを同定するための、コンピューターによって遂行される方法であって、以下の工程を含む、方法：
(a)  前記試料中の前記未知のグリカンに対する複数の親和性試薬プローブのそれぞれについての結合測定を、前記コンピューターによって受信する工程であって、親和性試薬プローブそれぞれが、複数の候補グリカンの中の1つまたは複数の候補グリカンに選択的に結合するように設定されている、工程；
(b)  前記結合測定の少なくとも一部分を、複数のグリカン構造を含むデータベースに対して、前記コンピューターによって比較する工程であって、各グリカン構造が、前記複数の候補グリカンの中の1つの候補グリカンに対応する、工程；および
(c)  前記結合測定の情報の前記少なくとも一部分の、前記複数のグリカン構造を含む前記データベースに対する前記比較に少なくとも基づいて、前記複数の候補グリカンから1つまたは複数の候補グリカンを除去する工程。
153.  前記1つまたは複数の候補グリカンを除去する工程が、前記候補グリカンに関連する前記結合測定の所定の基準に少なくとも基づいている、項目152記載の方法。
154.  前記所定の基準が、
前記複数の親和性試薬プローブの中の第一の複数に対する所定の閾値を下回る結合測定を有する、前記1つまたは複数の候補グリカン
を含む、項目153記載の方法。
155.  前記複数の親和性試薬プローブが、50個以下の親和性試薬プローブを含む、項目152記載の方法。
156.  前記複数の親和性試薬プローブが、100個以下の親和性試薬プローブを含む、項目152記載の方法。
157.  前記複数の親和性試薬プローブが、500個以下の親和性試薬プローブを含む、項目152記載の方法。
158.  前記複数の親和性試薬プローブが、500個超の親和性試薬プローブを含む、項目152記載の方法。
159.  前記試料中の1つまたは複数の未知のグリカンを同定する紙のまたは電子的なレポートを生成する工程
をさらに含む、項目152記載の方法。
160.  前記試料が生物学的試料を含む、項目152記載の方法。
161.  前記生物学的試料が対象から得られる、項目160記載の方法。
162.  前記同定される候補グリカンに少なくとも基づいて、前記対象における疾患の状態を同定する工程
をさらに含む、項目161記載の方法。
163.  結合測定が、グリカンへの親和性試薬の結合の測定を含む、前記項目のいずれかに記載の方法。
164.  結合測定が、グリカンへの親和性試薬の非結合の測定を含む、前記項目のいずれかに記載の方法。
165.  前記所定の条件が、少なくとも99.99999%の信頼度で前記複数の確率のそれぞれを生成することを含む、項目147記載の方法。
166.  前記所定の条件が、少なくとも99.999999%の信頼度で前記複数の確率のそれぞれを生成することを含む、項目147記載の方法。
167.  前記所定の条件が、少なくとも99.9999999%の信頼度で前記複数の確率のそれぞれを生成することを含む、項目147記載の方法。
168.  前記所定の条件が、少なくとも99.99999999%の信頼度で前記複数の確率のそれぞれを生成することを含む、項目147記載の方法。
169.  前記所定の条件が、少なくとも99.99999999%の信頼度で前記複数の確率のそれぞれを生成することを含む、項目147記載の方法。
170.  前記所定の条件が、少なくとも99.999999999%の信頼度で前記複数の確率のそれぞれを生成することを含む、項目147記載の方法。
171.  前記所定の条件が、少なくとも99.9999999999%の信頼度で前記複数の確率のそれぞれを生成することを含む、項目147記載の方法。
172.  前記所定の条件が、少なくとも99.99999999999%の信頼度で前記複数の確率のそれぞれを生成することを含む、項目147記載の方法。
173.  前記所定の条件が、少なくとも99.999999999999%の信頼度で前記複数の確率のそれぞれを生成することを含む、項目147記載の方法。
174.  前記所定の条件が、少なくとも99.9999999999999%の信頼度で前記複数の確率のそれぞれを生成することを含む、項目147記載の方法。
175.  前記所定の条件が、少なくとも99.99999999999999%の信頼度で前記複数の確率のそれぞれを生成することを含む、項目147記載の方法。
【０２１３】
本発明の好ましい態様は本明細書において示されかつ記載されているが、そのような態様が、単なる例として提供されていることは、当業者には明らかである。本発明が、本明細書中に提供される特定の例によって限定されることを目的としているわけではない。本発明は前述の明細書を参照して記載されているが、本明細書における態様の説明および図面は、制限的な意味に解釈されるべきではない。無数の変更、改変、および置き換えが、本発明から逸脱することなく、今や当業者に想起されるであろう。さらに、本発明のすべての局面は、多様な条件および可変のものに左右される、本明細書において記載される特定の描写にも構成にも相対的な比率にも限定されないことが、理解されるべきである。本明細書において記載される本発明の態様のさまざまな代替物が、本発明を実践する際に採用され得ることが、理解されるべきである。したがって、本発明はまた、任意のそのような代替のもの、修飾したもの、変更したもの、または同等のものを包含することが、企図される。添付の特許請求の範囲は、本発明の範囲を定義し、かつこの特許請求の範囲内の方法および構成、ならびにそれらの等価物がそれにより包含されることを定義することを、意図する。
【図１】
2021501332.tif 000071
【図２】
2021501332.tif 000072
【図３】
2021501332.tif 000073
【図４】
2021501332.tif 000074
【図５】
2021501332.tif 000075
【図６】
2021501332.tif 000076
【図７】
2021501332.tif 000077
【図８】
2021501332.tif 000078
【図９】
2021501332.tif 000079
【図１０】
2021501332.tif 000080
【図１１】
2021501332.tif 000081
【図１２】
2021501332.tif 000082
【図１３】
2021501332.tif 000083
【国際調査報告】
2021501332.tif 000084
2021501332.tif 000085
2021501332.tif 000086